(57)【要約】周波数間／RAT間測定のための方法であって：マルチメディア・ブロードキャスト／マルチキャスト・サービス（MBMS）トラフィック受信のための第一の時間を予約する段階と；周波数間／RAT間測定のための第二の時間を予約する段階と、ここで、前記第一の時間および前記第二の時間はシステムが要求する周波数間／RAT間測定時間のうちからユーザー装置（UE）によって予約されるものであり；予約された第一の時間においてMBMSトラフィックを受信し；第二の時間において周波数間／RAT間測定を実行する、ことを含む方法。本発明の実施形態は、MBMS情報についての復調パフォーマンスが保証されるという基盤の上に、周波数間／RAT間セルの測定を完了させ、要求される測定パフォーマンスを保証することができる。
2008533883.tif 000002
【特許請求の範囲】
【請求項１】
周波数間／RAT間測定のための方法であって：
ユーザー装置（UE）が、システムが要求する周波数間／RAT間測定時間から、MBMSトラフィック受信のための第一の時間を予約し；
周波数間／RAT間測定のための第二の時間を予約し；
前記UEが第一の予約時間においてMBMSトラフィックを受信し；
第二の予約時間において周波数間／RAT間測定を実行する、
ことを含む方法。
【請求項２】
UEによって予約される第一の予約時間が、受信されたMBMSトラフィックのための復調パフォーマンスを保証できる、請求項１記載の方法。
【請求項３】
UEがTDD  UEである、請求項１記載の方法。
【請求項４】
前記システムが要求する周波数間／RAT間測定時間は：
アイドル時間；および／または
TDD  UEがCELL_FACH状態にあるときに式
SFN＝(C_RNTI  mod  M_REP＋n×M_REP)×N
によって決定される測定時間、を含み、TDD  UEは、上記の式を満たすSFNにおいて周波数間／RAT間測定を実行し；
Nは、最大の送信タイミング期間（TTI）をもつ順行アクセス・チャネル（FACH）のTTIを10msで割って得られる値で、前記のFACHはTDD  UEがモニタリングする非MBMS論理チャネルを担う二次共通制御物理チャネル（SCCPCH）上にあり；
M_REP＝2kで、M_REPは測定期間のサイクルを表し；Nフレームの測定時間についてのサイクルは、N×M_REPフレームであり；kはFACH測定期間サイクル係数を表し、システム情報11または12における情報要素「FACH測定機会情報」から取得されうるもので；
C_RNTIはTDD  UEのセル無線ネットワーク一時識別情報を表し；
n＝0,1,2,…であり、ただし、SFNはその最大値より小さいことを特徴とする、
請求項３記載の方法。
【請求項５】
UEがFDD  UEである、請求項１記載の方法。
【請求項６】
前記システムが要求する周波数間／RAT間測定時間は、FDD  UEがCELL_FACH状態にあるときに式
SFN＝(C_RNTI  mod  M_REP＋n×M_REP)×N
によって決定され、
FDD  UEは、上記の式を満たすSFNにおいて周波数間／RAT間測定を実行し；
Nは、最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；Nフレームの測定時間についてのサイクルは、N×M_REPフレームであり；kはFACH測定期間サイクル係数を表し、システム情報11または12における情報要素「FACH測定機会情報」から取得されうるもので；
C_RNTIはFDD  UEのセル無線ネットワーク一時識別情報であり；
n＝0,1,2,…であり、ただし、SFNはその最大値より小さいことを特徴とする、
請求項５記載の方法。
【請求項７】
前記MBMSが：
MBMSポイント・ツー・ポイント（PTP）トラフィック情報；および／または
MBMS  PTP制御情報；および／または
MBMSポイント・ツー・マルチポイント（PTM）トラフィック情報；および／または
MBMS  PTM制御情報、
を含む、請求項１ないし６のうちいずれか一項記載の方法。
【請求項８】
サービスするセルを選択する方法であって：
ユーザー装置（UE）が、システムが要求する周波数間／RAT間測定時間から、MBMSトラフィック受信のための第一の時間を予約し；
周波数間／RAT間測定のための第二の時間を予約し；
UEが第二の予約時間において周波数間／RAT間測定を実行し；
前記測定の結果に基づいて、よりよい品質のセルをサービスするセルとして選択する、
ことを含む方法。
【請求項９】
前記UEによって予約された第一の時間が、受信されたMBMSトラフィックの復調パフォーマンスを保証できる、請求項８記載の方法。
【請求項１０】
要求される測定パフォーマンスを決定する方法であって、MBMS情報を受信するユーザー装置（UE）が、受信されるMBMS情報のための復調パフォーマンスを保証しつつ要求される測定パフォーマンスを決定する方法。
【請求項１１】
要求される測定パフォーマンスが、UEが新たなセルを識別するのに要求される時間である、請求項１０記載の方法。
【請求項１２】
前記UEが、該UEが新たなセルを識別するのに要求される時間を決定するのを、受信されるMBMS情報のための復調パフォーマンスを保証できる測定時間に基づいて行う、請求項１１記載の方法。
【請求項１３】
前記UEが、該UEが新たなセルを識別するのに要求される時間を決定するのを、標的セルのブロードキャスト信号および／またはパイロット信号が存在するフレームまたはサブフレームの数に基づいて行い、該ブロードキャスト信号および／またはパイロット信号は受信されるMBMS情報のための復調パフォーマンスを保証できる測定時間内に受信されるものである、請求項１１記載の方法。
【請求項１４】
前記UEが、該UEが新たなセルを識別するのに要求される時間を決定するのを、受信されるMBMS情報のための復調パフォーマンスを保証できる測定時間から受信機変換時間を引いた時間に基づいて行う、請求項１１記載の方法。
【請求項１５】
前記UEがCELL_FACH状態においてMBMS  PTMトラフィックを受信するFDD  UEであり；前記UEが、新たな周波数間セルを識別するのに要求される時間を、式
【数１】
2008533883.tif 000031
によって決定し、ここで、Tidentify,interがFDD  UEが周波数間セルを識別する時間を表し；
Tbasic_identify_FDD,inter＝300msまたは800msで、これはFDD  UEが周波数間セルを識別するための最大許容時間を表し；
NFreq,FDDは、UTRANによって送られたシステム測定制御情報における周波数間セル・リストに含まれるFDD周波数の数を表し；
Tmeas＝［(NFDD＋NTDD＋NGSM)・NTTI・M_REP・10］であり、
ここで：
NTTIは最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；kはFACH測定期間サイクル係数を表し、システム情報11または12における情報要素「FACH測定機会情報」から取得されうるもので；
NFDDは0または1に等しく：近隣セル・リストにおいて周波数間FDDセルが存在すればNFDD=1であり、そうでなければNFDD＝0であり；
NTDDは0または1に等しく：近隣セル・リストにおいて周波数間TDDセルが存在すればNTDD=1であり、そうでなければNTDD＝0であり；
NGSMは0または1に等しく：近隣セル・リストにおいて周波数間GSMセルが存在すればNGSM=1であり、そうでなければNGSM＝0であり；
TInterは、受信されるMBMS情報についての保証される復調パフォーマンスに基づいてFDD  UEによって決定される利用可能な周波数間測定時間から受信機変換時間を引いた時間を表す
請求項１４記載の方法。
【請求項１６】
前記UEがCELL_FACH状態においてMBMS  PTMトラフィックを受信するFDD  UEであり；前記UEが、新たなRAT間WCDMA  TDDセルを識別するのに要求される時間を、式
【数２】
2008533883.tif 000032
を使って決定し、ここで、Tidentify,TDDがRAT間WCDMA  TDDセルを識別する時間を表し；
Tbasic_identify_TDD,inter＝300msまたは800msで、これは前記UEがRAT間WCDMA  TDDセルを識別するための最大許容時間を表し；
NFreq,TDDは、UTRANからのシステム測定制御情報における周波数間セル・リストに含まれるTDD周波数の数を表し；
Tmeas＝［(NFDD＋NTDD＋NGSM)・NTTI・M_REP・10］であり、
ここで：
NTTIは最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；kはFACH測定期間サイクル係数を表し、システム情報11または12における情報要素「FACH測定機会情報」から取得されうるもので；
NFDDは0または1に等しく：近隣セル・リストにおいて周波数間FDDセルが存在すればNFDD=1であり、そうでなければNFDD＝0であり；
NTDDは0または1に等しく：近隣セル・リストにおいて周波数間TDDセルが存在すればNTDD=1であり、そうでなければNTDD＝0であり；
NGSMは0または1に等しく：近隣セル・リストにおいて周波数間GSMセルが存在すればNGSM=1であり、そうでなければNGSM＝0であり；
TInterは、受信されるMBMS情報についての保証される復調パフォーマンスに基づいてFDD  UEによって決定される利用可能な周波数間測定時間から受信機変換時間を引いた時間を表す、
請求項１４記載の方法。
【請求項１７】
前記UEが、該UEが新たなセルを識別するのに要求される時間を決定するのを、標的セルのブロードキャスト信号および／またはパイロット信号が存在するフレームまたはサブフレームの数に基づいて行い、該ブロードキャスト信号および／またはパイロット信号は受信されるMBMS情報のための復調パフォーマンスを保証できる測定時間から受信機変換時間を引いた時間内に受信されるものである、請求項１１記載の方法。
【請求項１８】
要求される測定パフォーマンスが、UEの物理層がセル測定結果を上の層に報告するのに要求される報告時間である、請求項１０記載の方法。
【請求項１９】
前記UEが、前記報告時間を決定するのを、受信されるMBMS情報のための復調パフォーマンスを保証できる測定時間に基づいて行う、請求項１８記載の方法。
【請求項２０】
前記UEが、前記報告時間を決定するのを、標的セルのブロードキャスト信号および／またはパイロット信号が存在するフレームまたはサブフレームの数に基づいて行い、該ブロードキャスト信号および／またはパイロット信号は受信されるMBMS情報のための復調パフォーマンスを保証できる測定時間内に受信されるものである、請求項１８記載の方法。
【請求項２１】
前記UEが、前記報告時間を決定するのを、受信されるMBMS情報のための復調パフォーマンスを保証できる測定時間から受信機変換時間を引いた時間に基づいて行う、請求項１８記載の方法。
【請求項２２】
前記UEがCELL_FACH状態においてMBMS  PTMトラフィックを受信するFDD  UEであり；前記UEが、周波数間セルの測定結果を報告するのに要求される時間を、式
【数３】
2008533883.tif 000033
によって決定し、
ここで、Tmeasurement  interが、周波数間セルのCPICH測定結果を報告する測定時間を表し；
Tbasic_measurement_FDD,inter＝50msであり；
TMeasurement_Period,Inter＝480msであり；
NFreq,FDDは、UTRANによって送られたシステム測定制御情報における周波数間セル・リストに含まれるFDD周波数の数を表し；
Tmeas＝［(NFDD＋NTDD＋NGSM)・NTTI・M_REP・10］であり、
ここで：
NTTIは最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；kはFACH測定期間サイクル係数を表し、システム情報11または12における情報要素「FACH測定機会情報」から取得されうるもので；
NFDDは0または1に等しく：近隣セル・リストにおいて周波数間FDDセルが存在すればNFDD=1であり、そうでなければNFDD＝0であり；
NTDDは0または1に等しく：近隣セル・リストにおいて周波数間TDDセルが存在すればNTDD=1であり、そうでなければNTDD＝0であり；
NGSMは0または1に等しく：近隣セル・リストにおいて周波数間GSMセルが存在すればNGSM=1であり、そうでなければNGSM＝0であり；
TInterは、受信されるMBMS情報についての保証される復調パフォーマンスに基づいてFDD  UEによって決定される利用可能な周波数間測定時間から受信機変換時間を引いた時間を表す、
請求項２１記載の方法。
【請求項２３】
前記UEがCELL_FACH状態においてMBMS  PTMトラフィックを受信するFDD  UEであり；前記UEが、RAT間WCDMA  TDDセルの測定結果を報告するのに要求される時間を、式
【数４】
2008533883.tif 000034
を使って決定し、ここで、Tmeasurement,TDDがRAT間WCDMA  TDDセルのPCCPCH  RSCP測定結果を報告するための測定時間を表し；
Tbasic_measurement_TDD,inter＝50msであり；
TMeasurement_Period_TDD,inter＝480msであり；
NFreq,TDDは、UTRANからのシステム測定制御情報における周波数間セル・リストに含まれるTDD周波数の数を表し；
Tmeas＝［(NFDD＋NTDD＋NGSM)・NTTI・M_REP・10］であり、
ここで：
NTTIは最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；kはFACH測定期間サイクル係数を表し、システム情報11または12における情報要素「FACH測定機会情報」から取得されうるもので；
NFDDは0または1に等しく：近隣セル・リストにおいて周波数間FDDセルが存在すればNFDD=1であり、そうでなければNFDD＝0であり；
NTDDは0または1に等しく：近隣セル・リストにおいて周波数間TDDセルが存在すればNTDD=1であり、そうでなければNTDD＝0であり；
NGSMは0または1に等しく：近隣セル・リストにおいて周波数間GSMセルが存在すればNGSM=1であり、そうでなければNGSM＝0であり；
TInterは、受信されるMBMS情報についての保証される復調パフォーマンスに基づいてFDD  UEによって決定される利用可能な周波数間測定時間から受信機変換時間を引いた時間を表す、
請求項２１記載の方法。
【請求項２４】
前記UEが、要求される前記報告時間を決定するのを、標的セルのブロードキャスト信号および／またはパイロット信号が存在するフレームまたはサブフレームの数に基づいて行い、該ブロードキャスト信号および／またはパイロット信号は受信されるMBMS情報のための復調パフォーマンスを保証できる測定時間から受信機変換時間を引いた時間内に受信されるものである、請求項１８記載の方法。
【請求項２５】
前記セルが周波数間／RAT間セルであり、前記測定時間は周波数間／RAT間測定時間である、請求項１２、１３、１４、１７、１９、２０、２１または２４のうちいずれか一項記載の方法。
【請求項２６】
前記セルが周波数内セルであり、前記測定時間は周波数内測定時間である、請求項１２、１３、１４、１７、１９、２０、２１または２４のうちいずれか一項記載の方法。
【請求項２７】
前記UEが、受信されるMBMS情報についての復調パフォーマンスを保証できる測定時間に基づいてRAT間GSMセルについての要求される測定パフォーマンスを決定する、請求項１０記載の方法。
【請求項２８】
前記UEがCELL_FACH状態においてMBMS  PTMトラフィックを受信するFDD  UEであり；前記UEが新たなRAT間GSMセルを識別するまたは識別されたRAT間GSMセルを測定する段階が：
前記UEが、式
SFN＝(C_RNTI  mod  M_REP＋n×M_REP)×N
を満たすSFNにおいて受信MBMS情報についての復調パフォーマンスを保証できる周波数間測定時間を決定することを含んでおり：
ここで、Nは、最大のTTIをもつFACHのTTIを10msで割って得られる値を表し、前記のFACHはFDD  UEがモニタリングする非MBMS論理チャネルを担うSCCPCH上にあり；
M_REP＝2kで、M_REPは測定期間のサイクルを表し；kはFACH測定期間サイクル係数を表し、システム情報11または12における情報要素「FACH測定機会情報」から取得されうるもので；
C_RNTIはFDD  UEのセル無線ネットワーク一時識別情報を表し；
n＝0,1,2,…であり、ただし、SFNはその最大値より小さく；
前記段階がさらに、
前記UEが、前記の決定された周波数間測定時間内に、RAT間GSMセルを測定して新たなRAT間GSMセルを識別するか、識別されたRAT間GSMセルを測定することを含む、
請求項２７記載の方法。
【請求項２９】
前記UEが、受信されるMBMS情報についての復調パフォーマンスを保証できる測定時間から受信機変換時間を引いた時間に基づいてRAT間GSMセルについての要求される測定パフォーマンスを決定する、請求項１０記載の方法。
【請求項３０】
前記UEがCELL_FACH状態においてMBMS  PTMトラフィックを受信するFDD  UEであり；前記UEが新たなRAT間GSMセルを識別するまたは識別されたRAT間GSMセルを測定する段階が：
式
SFN＝(C_RNTI  mod  M_REP＋n×M_REP)×N
を満たすSFNにおいて受信MBMS情報についての復調パフォーマンスを保証できる周波数間測定時間を決定することを含んでおり：
ここで、Nは、最大のTTIをもつFACHのTTIを10msで割って得られる値を表し、前記のFACHはFDD  UEがモニタリングする非MBMS論理チャネルを担うSCCPCH上にあり；
M_REP＝2kで、M_REPは測定期間のサイクルを表し；kはFACH測定期間サイクル係数を表し、システム情報11または12における情報要素「FACH測定機会情報」から取得されうるもので；
C_RNTIはFDD  UEのセル無線ネットワーク一時識別情報を表し；
n＝0,1,2,…であり、ただし、SFNはその最大値より小さく；
前記段階がさらに、
前記UEが、前記の決定された周波数間測定時間から受信機変換時間を引いた時間内に、RAT間GSMセルを測定して新たなRAT間GSMセルを識別するか、識別されたRAT間GSMセルを測定することを含む、
請求項２９記載の方法。
【請求項３１】
前記受信機変換時間が受信機のハードウェア機能に依存し；該受信機変換時間が1msに等しい、請求項１４、１５、１６、１７、２１、２２、２３、２４、２９、３０のうちいずれか一項記載の方法。
【請求項３２】
前記UEがFDD  UEおよびTDD  UEのうちの一つである、請求項１０記載の方法。
【請求項３３】
前記MBMS情報が：
MBMSポイント・ツー・ポイント（PTP）トラフィック情報；および／または
MBMS  PTP制御情報；および／または
MBMSポイント・ツー・マルチポイント（PTM）トラフィック情報；および／または
MBMS  PTM制御情報、
を含む、請求項１０記載の方法。
【請求項３４】
システムが要求する周波数間／RAT間測定時間からMBMSトラフィックを受信する第一の時間を予約する第一の時間予約ユニットと；
システムが要求する周波数間／RAT間測定時間から周波数間／RAT間測定のための第二の時間を予約する第二の時間予約ユニットと；
第一の時間予約ユニットによって予約された第一の時間の間にMBMSトラフィックを受信するMBMS受信ユニットと；
第二の時間予約ユニットによって予約された第二の時間の間に周波数間／RAT間測定を実行する測定ユニットとを有するユーザー装置。
【請求項３５】
MBMS情報を受信する過程において、受信されるMBMS情報のための復調パフォーマンスを保証するために要求される測定パフォーマンスを決定する、測定パフォーマンス決定ユニットを有する、ユーザー装置。
【請求項３６】
前記の要求される測定パフォーマンスが：
UEが新たなセルを識別するのに要求される時間；および／または
UEの物理層がセル測定結果を上の層に報告するのに要求される時間を含む、
請求項３５記載のユーザー装置。
【発明の詳細な説明】
【技術分野】
【０００１】
本発明は、第三世代（3G）移動通信システムにおけるユーザー装置（UE）のための周波数間／RAT間測定（inter-frequency/inter-RAT  measurement）技術に関する。特に、本発明は測定のための方法、要求される測定パフォーマンスを判別する方法およびサービスするセル（serving  cell）を選択する方法ならびにユーザー装置に関する。
【背景技術】
【０００２】
万国移動通信システム（UMTS）は広帯域符号分割多重アクセス（WCDMA）の無線インターフェース技術を採用する3G移動通信システムである。このシステムは第三世代パートナーシップ・プロジェクト（3GPP）という世界規模のWCDMAおよびグローバル移動通信システム（GSM）の標準化機関において進化している。
【０００３】
3GPP  UMTS規格によれば、UEは、無線資源制御（RRC:  radio  resource  control）接続が確立されているかどうかに依存して、アイドルとRRC接続という二つのモードのいずれかにあることができる。UMTS万国地上無線アクセス・ネットワーク（UTRAN:  UMTS  universal  terrestrial  radio  access  network）に接続を確立していないUEはアイドル・モードにある。アイドルUEは、非アクセス層（NAS:  non-access  stratum）識別子、たとえば国際携帯機器加入者識別情報（IMSI:  international  mobile  subscriber  identity）によってのみ識別できる。UTRANへのRRC接続を確立しているUEはRRC接続モードにある。RRC接続されたUEは、共通トランスポート・チャネル（CCH:  common  transport  channel）上でUEを識別する無線ネットワーク一時識別情報（RNTI:  radio  network  temporary  identity）を割り当てられる。
【０００４】
RRC接続されたUEは、RRC接続の層（stratum）および該UEに許容されるトランスポート・チャネル種別に依存して種々の状態をもちうる。CELL_PCH、CELL_FACHおよびCELL_DCH状態にあるUEは、セル層において区別できる。URA_PCH状態にあるUEはUTRANレジスタ領域（URA:  UTRAN  register  area）層において区別できる。CELL_DCH状態にあるUEは個別物理チャネル（dedicated  physical  channel）を割り当てられ、該個別チャネル、共有チャネルまたはそれらの組み合わせを使用できる。CELL_FACH状態にあるUEは下りリンク上の共通トランスポート・チャネル、つまり順行アクセスチャネル（FACH:  forward  access  channel）をモニタリングし、上りリンク上のデフォルトの共通チャネル、逆行アクセスチャネル（RACH:  reverse  access  channel）を割り当てられる。CELL_PCHおよびURA_PCH状態にあるUEは、関係するページ指標チャネル（PICH:  page  indicator  channel）を通じて不連続受信（DRX:  discontinuous  reception）を使うことによってページ・チャネル（PCH:  page  channel）をモニタリングする。これら二つの状態にあるUEは上りリンク上では非アクティブである。
【０００５】
3GPP  UMTS規格によれば、あるUEが異なるモードかつ異なる状態にあるとき、該UEは、セル再選択およびハンドオーバー処理のため、周波数間／RAT間セルを、受信されたシステム情報および該UEがいるセルでの受信品質に従って測定する。アイドル状態、CELL_PCH、URA_PCHまたはCELL_FACH状態にあるUEについては、周波数間／RAT間測定は、受信されたシステム情報および現在セルの受信品質によってトリガーされる。CELL_DCH状態にあるUEについては、周波数間／RAT間測定は、システムによって送られたシステム測定制御情報によってトリガーされる。通常、デュアル受信機を備えていないUEは二つの周波数での信号を受信し、かつ復号することはできない。よって、周波数間／RAT間測定の進行中、UEは現在セルにおける信号の受信を中断することになる。
【０００６】
移動ネットワーク資源の利用を容易にするため、3G移動通信システムはマルチキャストおよびブロードキャストの概念を導入する。マルチキャストとブロードキャストは、同じデータをデータソースから複数の宛先に送信する技術である。そのため、3GPPはマルチメディア・ブロードキャスト／マルチキャスト・サービス（MBMS）を提唱している。MBSMは、移動通信ネットワークにおいて同じデータをデータソースから複数ユーザーに送信するポイント・ツー・マルチポイントのサービスである。目的は、ネットワーク資源の共有を実現し、ネットワーク資源の利用、特に無線インターフェース資源の利用を改善することである。
【０００７】
MBMSデータはUEとUTRANとの間で、ポイント・ツー・ポイント（PTP）およびポイント・ツー・マルチポイント（PTM）の二つのモードで送信されうる。PTP送信はマルチキャストに適用可能である。このモードでは、RRC接続されたUEは個別制御チャネル（DCCH:  dedicated  control  channel）を通じて制御情報を受信し，個別トラフィックチャネル（DTCH:  dedicated  traffic  channel）を通じてデータ情報を受信する。PTM送信はブロードキャストまたはマルチキャストに適用可能である。このモードでは、UEはMBMSポイント・ツー・マルチポイント・トラフィック・チャネル（MTCH）を通じてデータ情報を受信し、MBMSポイント・ツー・マルチポイント制御チャネル（MCCH）を通じて制御情報を受信する。
【０００８】
UEは三つの種類のセルをモニタリングする：
アクティブ・セット・セル：UE情報はこれらのセルにおいて送信される；UEはセル・リストに含まれているアクティブ・セット・セルしか測定しない。
【０００９】
モニタ・セット・セル：アクティブ・セットに含まれるがセル・リストに含まれないセル。
【００１０】
検出セットセル：セル・リストにも含まれなければ、アクティブ・セットにも含まれないが、UEが検出できるセル。
【００１１】
3GPP  UMTS規格によれば、時分割二重（TDD）UEは1.28Mcps  TDD  UEおよび3.84Mcps  TDD  UEを含む。
【００１２】
CELL_FACH状態では、3.84Mcps  TDD  UEがほとんどのセルをモニタリングできる。
【００１３】
32の周波数内セル（当該UEに現在サービスしているセルを含む）；
32の周波数間セル。UEの機能によって、2つまでのTDDキャリアのTDDセルおよび3つまでのFDDキャリアの周波数分割二重（FDD）セルを含む；
UEの機能によって、32のGSM周波数に割り当てられた32のGSMセル。
【００１４】
CELL_FACH状態では、1.28Mcps  TDD  UEがほとんどのセルをモニタリングできる：
32の周波数内セル（当該UEに現在サービスしているセルを含む）；
32の周波数間セル。UEの機能によって、3つまでのTDDキャリアのTDDセルおよび3つまでのFDDキャリアの3つの周波数分割二重（FDD）セルを含む；
UEの機能によって、32のGSM周波数に割り当てられた32のGSMセル。
【００１５】
CELL_FACH状態にあるUEは、セル再選択および新たなセル識別のために、周波数間／RAT間測定を実行する必要がある。UEは、次の式を満たすシステム・フレーム番号（SFN:  system  frame  number）を位置特定し、位置特定された諸SFN中で周波数間／RAT間測定を実行する：
SFN  div  N＝C_RNTI  mod  M_REP＋n×M_REP      (1)
ここで：
Nは、最大の送信タイミング期間（TTI:  transmission  timing  interval）をもつ順行アクセス・チャネル（FACH）のTTIを10msで割って得られる値で、前記のFACHはUEによってモニタリングされる非MBMS論理チャネルを担う二次共通制御物理チャネル（SCCPCH:  secondary  common  control  physical  channel）上にある。これは、UEが周波数間／RAT間測定を実行する時間期間である。
【００１６】
M_REP＝2kで、M_REPは測定期間のサイクルを表す；Nフレームの測定時間についてのサイクルは、N×M_REPフレームである；kはFACH測定期間サイクル係数を表し、システム情報11または12における情報要素「FACH測定機会情報」から取得されうる。
【００１７】
C_RNTI（セル無線ネットワーク一時識別情報）はUEのC-RNTI値を表す。
【００１８】
n＝0,1,2,…  ただし、SFNはその最大値未満とする。
【００１９】
UEは、上式(1)を満たす測定時間内に、識別された周波数間／RAT間セルを連続的に測定する。その間、UEは、UTRANによって送られるシステム測定制御情報において指示される新たな周波数間／RAT間セルを探す。
従来規格では、MBMS  PTMトラフィックを受信するFDD  UEは、下記の手順によって新たな周波数間セルを識別する：
UEが、存在している未識別の周波数間セルを検出するために、システム測定制御情報をUTRANから受信し、該測定制御情報において指示されている周波数間セル情報を取得する。
【００２０】
UEが未識別の周波数間セルを検出する（UEは、システム測定制御情報で指示された新たな周波数間セルの周波数で動作し、この周波数で受信信号が十分強いと見出す場合に周波数間セルが検出されていると考える）。
【００２１】
UEは、次の公式で計算される識別時間（Tidentify,inter）内に、検出された周波数間セルを識別する：
【００２２】
【数５】
2008533883.tif 000003
ここで：
Tbasic_identify_FDD,inter＝300msまたは800ms；これはUEが新たな周波数間セルを識別する最大継続時間を表す；
NFreq,FDDは、システム測定制御情報における周波数間セル・リストに含まれるFDD周波数の数を表す；
Tmeas＝［(NFDD＋NTDD＋NGSM)・NTTI・M_REP・10］      (3)
ここで：
NTTIは式(1)におけるNに等しく、M_REPは式(1)と同じである；
NFDDは0または1に等しい：近隣セル・リストにおいてFDD周波数間セルが存在すればNFDD=1であり、そうでなければNFDD＝0である；
NTDDは0または1に等しい：近隣セル・リストにおいてTDD周波数間セルが存在すればNTDD=1であり、そうでなければNTDD＝0である；
NGSMは0または1に等しい：近隣セル・リストにおいてGSM周波数間セルが存在すればNGSM=1であり、そうでなければNGSM＝0である；
TInterFACH＝(NTTI×10−2×0.5)ms、ここでNTTIは式(1)におけるNに等しい。
【００２３】
UEは、新たに識別された周波数間セルを、自分が記憶しているセル・リストにおいて、識別された周波数間セルとしてマークする。
【００２４】
MBMS  PTMトラフィックを受信するFDD  UEは、下記の手順によって、共通パイロット・チャネル（CPICH:  common  pilot  channel）を測定する：
UEが、UTRANからシステム測定制御情報またはシステム・ブロードキャスト情報を受信し、周波数間CPICH測定をトリガーする。
【００２５】
UEの物理層が、次の公式から得られる測定時間（TMeasurement,Inter）内に、測定結果を上の層に報告する。
【００２６】
【数６】
2008533883.tif 000004
ここで：
Tbasic_measurement_FDD,inter＝50ms；
TMeasurement_Period,Inter＝480ms；
その他のパラメータは式(2)および(3)と同じである。
【００２７】
UEの上の層は、物理層によって報告された測定結果を内部アルゴリズムにかける（たとえば、該測定結果は、セル再選択アルゴリズムの入力パラメータであることができる）か、あるいは測定結果を無線ネットワーク・コントローラ（RNC:  radio  network  controller）に報告する。
【００２８】
しかしながら、実際上、MBMS  PTMトラフィックを受信するFDD  UEが新たな周波数間セルを識別し、該セルに対するCPICH測定を実行するとき、該UEは式(1)から得られる周波数間測定時間全体を周波数間測定を行うために使えないことがありうる。その代わり、該UEは、該測定を行うために前記周波数間測定時間の一部しか使わないことがありうる。だが、新たな周波数間セルを識別するための時間（Tidentify,inter）を得るために使われる式(2)およびUEの物理層が測定結果を報告するための測定時間（TMeasurement,Inter）を得るために適用される式(4)において、パラメータTInterFACH＝（NTII×10−2×0.5）msは、UEは式(1)に基づいて計算された周波数間測定時間全体を、周波数間測定を行うために使うということを意味する。そこで、次の問題が生じる。
【００２９】
UEが式(2)から得られるTidentify,inter内に新たな周波数間セルを識別し、該新たな周波数間セルのCPICH測定結果を式(2)から得られるTMeasurement,Inter内に上の層に報告する場合、UEは式(1)に基づいて計算される周波数間測定時間全体を周波数間測定を実行するために使う必要がある。これは、受信されるMBMSトラフィックについて、UEの復調パフォーマンスを劣化させることがありうる。
【００３０】
UEが、式(1)に基づいて計算される周波数間測定を実行するための周波数間測定時間の一部を、MBMS復調パフォーマンスを保証するために使う場合、UEは式(2)から得られるTidentify,inter内に新たな周波数間セルを識別できないことがありえ、式(4)から得られるTMeasurement,Inter内に新たな周波数間セルのCPICH測定結果を上の層に報告できないことがありうる。
【００３１】
上記の手順は、CELL_FACH状態においてMBMS  PTMトラフィックを受信するFDD  UEが、RAT間WCDMA  TDDセルを識別し、該RAT間WCMDA  TDDセルにおいて一次共通制御物理チャネル（PCCPCH:  primary  common  control  physical  channel）の受信された信号コード電力（RSCP:  received  signal  code  power）測定結果を報告することについても同じ技術的欠点を有している。
【００３２】
従来規格では、MBMS  PTMトラフィックを受信するFDD  UEが、モニタ・セット中で検出された新たなRAT間WCDMA  TDDセルを識別するとき、RAT間SCDMA  TDDセルが、次の公式に基づいて計算される識別時間（Tidentify,TDD）内に識別されることが要求されている：
【００３３】
【数７】
2008533883.tif 000005
ここで：
Tbasic_identify_TDD,inter＝300msまたは800ms；
NFreq,TDDはシステム測定制御情報における周波数間セル・リストに含まれるTDD周波数の数を表す；
その他のパラメータは式(2)および(3)と同じである。
【００３４】
UEの物理層は、RAT間WCDMA  TDDセルのPCCPCH RSCP測定結果を、次式に基づいて計算される測定時間（TMeasurement,TDD）内に上の層に報告すべきことも要求される：
【００３５】
【数８】
2008533883.tif 000006
ここで：
Tbasic_measurement_TDD,inter＝50ms；
TMeasurement_Period_TDD,inter＝480ms；
その他のパラメータは式(2)および(3)と同じである。
【００３６】
すると、次の問題が生じる。
【００３７】
UEが式(5)から得られるTidentify,TDD内に新たなRAT間WCDMA  TDDセルを識別し、該新たなRAT間WCDMA  TDDセルのPCCPCH  RSCP測定結果を式(6)から得られるTMeasurement,TDD内に上の層に報告する場合、UEは式(1)に基づいて計算されるRAT間測定時間全体をRAT間測定を実行するために使う必要がある。これは、受信されるMBMSトラフィックについて、UEの復調パフォーマンスを劣化させることがありうる。
【００３８】
UEが、式(1)に基づいて計算されるRAT間測定を実行するためのRAT間測定時間の一部を、MBMS復調パフォーマンスを保証するために使う場合、UEは式(5)から得られるTidentify,TDD内に新たなRAT間WCDMA  TDDセルを識別できないことがありえ、式(6)から得られるTMeasurement,TDD内に新たなRAT間WCDMA  TDDセルのPCCPCH  RSCP測定結果を上の層に報告できないことがありうる。
【００３９】
TDD  UEはFDD周波数間セル、TDD周波数間セルおよびGSMセルを次式を満たす間隔Tmeasで測定する：
Tmeas＝［(NFDD＋NTDD＋NGSM)・NTTI・M_REP・10］      (7)
ここで、すべてのパラメータは式(3)と同じである。
【００４０】
TDD  UEは、周波数間／RAT間測定期間内に識別された周波数間セルを連続的に測定し、UTRANによって送られるシステム測定制御情報において指示される新たな周波数間／RAT間セルを探す。
従来規格では、MBMS  PTMトラフィックを受信するTDD  UEは、下記の手順によって周波数間／RAT間セルを測定する：
TDD  UEが、システム測定制御情報をUTRANから受信し、該測定制御情報において指示されている周波数間／RAT間セルに対する周波数間／RAT間測定をトリガーする。
【００４１】
TDD  UDが、式(1)から計算される測定時間またはアイドル時間内に、周波数間／RAT間セルを測定する（TDDモードは１フレーム中の上りリンクと下りリンクの時間スロットを区別するが、TDD  UEがトラフィックを受信も送信もしない時間スロットがTDD  UEのアイドル時間である）。周波数間／RAT間測定の時間の間、TDD  UEはMBMS  PTMトラフィックの受信を中断する。
【００４２】
TDD  UEは、周波数間／RAT間測定がアクティブでない他の時間にMBMS  PTMトラフィックを受信する。
【００４３】
しかしながら、実際上、MBMS  PTMトラフィックを受信するTDD  UEは周波数間／RAT間測定の間、MBMS  PTMトラフィックの受信を中断し、一方でたいていの場合、各TDD  UEは種々の時点にMBMS  PTMトラフィックの受信を中断するので、ネットワークにとって、TDD  UEによって受信されなかったどのMBMS  PTMデータを再送信すべきか決定するのが困難である。結果として、MBMS  PTM受信の品質はTDD  UEについては貧弱になる。
従来規格では、MBMS  PTMトラフィックを受信するTDD  UEは、下記の手順によって新たな周波数間セルを識別する：
TDD  UEが、存在している未識別の周波数間セルを検出するために、システム測定制御情報をUTRANから受信し、該測定制御情報において指示されている周波数間セル情報を取得する。
【００４４】
TDD  UEが未識別の周波数間セルを検出する（UEは、システム測定制御情報で指示された新たな周波数間セルの周波数で動作し、この周波数で受信信号が十分強いと見出す場合に周波数間セルが検出されていると考える）。
【００４５】
TDD  UEは、次の公式で計算される識別時間（Tidentify,inter）内に、検出された周波数間セルを識別する。
【００４６】
3.84Mcps  TDD  UEについて、モニタ・セットにおいて新たな周波数間TDDセルを識別するために、要求されるTidentify,interは次式を満たす：
【００４７】
【数９】
2008533883.tif 000007
ここで：
Tbasic_identify_TDD,inter＝300msまたは800ms；これはUEが新たなTDDセルを識別するための最大許容時間を表す；
NFreq,TDDは、UTRANからのシステム測定制御情報において指示される周波数間セル・リストに含まれるTDD周波数の数を表す；
他のパラメータは式(2)および(3)と同じである。
【００４８】
1.28Mcps  TDD  UEについて、モニタ・セットにおいて新たな周波数間TDDセルを識別するために、要求されるTidentify,interは次式を満たす：
【００４９】
【数１０】
2008533883.tif 000008
ここで：
TMeasurement_Period,Inter＝480ms；
NInterFACHは、標的周波数間TDDセルのPCCPCHおよびDwPCH信号が存在しているサブフレームの数を表し、該PCCPCHおよびDwPCH信号は測定期間（TMeasurement_Period,Inter）内に受信されることができる。この値は、チャネル割り当ておよびCELL_FACH状態における測定時間（アイドル時間および式(1)から計算される測定時間を含む）に基づいて得られ、2×0.1msのマージンを見込む。式(1)から計算される測定時間内に、UEは、アイドル時間において測定できない周波数間セルを測定する。
【００５０】
Nbasic_identify_TDD,Inter＝160；これはTbasic_identify_TDD,inter内に受信されたサブフレームの数を表す。
【００５１】
NFreqは、UTRANからのシステム測定制御情報において指示される周波数間セル・リストに含まれるTDD周波数の数を表す。
【００５２】
TDD  UEは、新たに識別された周波数間セルを、自分が記憶しているセル・リストにおいて、識別された周波数間セルとしてマークする。
MBMS  PTMトラフィックを受信するTDD  UEは、下記の手順によって新たな周波数間セルの一次共通制御物理チャネル（PCCPCH）を測定する：
TDD  UEが、システム測定制御情報またはシステム・ブロードキャスト情報をUTRANから受信し、周波数間セルに対するPCCPCH測定をトリガーする。
【００５３】
TDD  UEの物理層が、次の公式から得られる測定時間（TMeasurement,Inter）内に、測定結果を上の層に報告する。
【００５４】
3.84Mcps  TDD  UEについて、要求されるTMeasurement,Interは次式を満たす：
【００５５】
【数１１】
2008533883.tif 000009
ここで：
Tbasic  measurement  TDD,inter＝50ms；
TMeasurement  Period  TDD  Inter＝480ms；
他のパラメータは式(2)および(3)と同じである。
【００５６】
1.28Mcps  TDD  UEについて、要求されるTMeasurement  interは次式を満たす：
【００５７】
【数１２】
2008533883.tif 000010
ここで：
Tbasic  measurement  TDD,inter＝50ms；
他のパラメータは式(9)と同じである。
【００５８】
TDD  UEの上の層は、物理層によって報告された測定結果を内部アルゴリズムにかける（たとえば、該測定結果は、セル再選択アルゴリズムの入力パラメータであることができる）か、あるいは測定結果を無線ネットワーク・コントローラ（RNC:  radio  network  controller）に報告する。
【００５９】
しかしながら、実際上、MBMS  PTMトラフィックを受信するTDD  UEが新たな周波数間セルを識別し、該セルに対するPCCPCH測定を実行するとき、該UEは式(1)から得られる周波数間測定時間全体を周波数間測定を行うために使えないことがありうる。その代わり、該UEは、該測定を行うために前記周波数間測定時間の一部しか使わないことがありうる。だが、新たな周波数間セルを識別するための時間（Tidentify,inter）を得るために使われる式(8)および(9)ならびにTDD  UEの物理層が測定結果を報告するための測定時間（TMeasurement,Inter）を得るために適用される式(10)および(11)において、パラメータTInterFACH＝（NTII×10−2×0.5）msは、UEは周波数間測定時間全体を、周波数間測定を行うために使うということを意味する。そこで、次の問題が生じる。
【００６０】
TDD  UEが式(8)および(9)から得られるTidentify,inter内に新たな周波数間セルを識別し、該新たな周波数間セルのPCCPCH測定結果を式(10)および(11)から得られるTMeasurement,Inter内に上の層に報告する場合、UEはアイドル時間全体および／または式(1)に基づいて計算される周波数間測定時間全体を周波数間測定を実行するために使う必要がある。これは、受信されるMBMSトラフィックについて、UEの復調パフォーマンスを劣化させることがありうる。
【００６１】
TDD  UEが、アイドル時間および／または式(1)に基づいて計算される周波数間測定を実行するための周波数間測定時間の一部を、MBMS復調パフォーマンスを保証するために使う場合、UEは式(8)および(9)から得られるTidentify,inter内に新たな周波数間セルを識別できないことがありえ、式(10)および(11)から得られるTMeasurement,Inter内に新たな周波数間セルのPCCPCH測定結果を上の層に報告できないことがありうる。
【００６２】
上記の手順は、MBMS  PTMトラフィックを受信するTDD  UEが、RAT間WCDMA  TDDセルを識別し、該RAT間WCMDA  TDDセルの共通パイロット・チャネル（CPICH:  common  pilot  channel）測定結果を報告することについて同じ技術的欠点を有している。
従来規格では、MBMS  PTMトラフィックを受信するTDD  UEは、次の公式から得られるTidentify,FDD  inter内にモニタ・セット中でRAT間WCDMA  FDDセルを識別することが要求されている。
【００６３】
3.84Mcps  TDD  UEについて、要求されるTidentify  FDD  interは次式を満たす：
【００６４】
【数１３】
2008533883.tif 000011
ここで：
Tbasic_identify_FDD,inter＝300msまたは800ms；これはTDD  UEが新たなWCDMA  FDDセルを識別するための最大許容時間である；
NFreq,FDDは、UTRANからのシステム測定制御情報において指示される周波数間セル・リストに含まれるFDD周波数の数を表す；
TInterFACH＝（NTTI×10−2×0.5）ms
他のパラメータは式(2)および(3)と同じである。
【００６５】
1.28Mcps  TDD  UEについて、要求されるTidentify  FDD  interは次式を満たす：
【００６６】
【数１４】
2008533883.tif 000012
ここで：
TMeasurement_Period  FDD  inter＝480ms；
Tinter,FACHは、TMeasurement_Period_FDD,inter内でFDD測定のための最小時間を表す。この値は、チャネル割り当ておよびCELL_FACH状態における測定時間（アイドル時間および式(1)から計算される測定時間を含む）に基づいて得られ、2×0.1msのマージンを見込む。測定は、アイドル時間内に測定窓内で許容されるとする。すると、式(1)から得られる測定時間内に、UEは、アイドル時間において測定できない周波数間セルを測定する。
【００６７】
Tbasic  identify  FDD  inter＝800ms；これはTDD  UEが新たなFDDセルを識別するための最大許容時間を表す；
NFreqは、UTRANからのシステム測定制御情報において指示される周波数間セル・リストに含まれるFDD周波数の数を表す。
【００６８】
従来規格では、MBMS  PTMトラフィックを受信するTDD  UEは、次の公式から得られるTMeasurement  FDD  Inter内にCPICH測定結果を上の層に報告する。
【００６９】
3.84Mcps  TDD  UEについて、要求されるTMeasurement  FDD  interは次式を満たす：
【００７０】
【数１５】
2008533883.tif 000013
ここで：
Tbasic_measurement_FDD  inter＝50ms；
TMeasurement_Period  FDD  Inter＝480ms；
TInterFACH＝（NTII×10−2×0.5）ms；
他のパラメータは式(2)および(3)と同じである。
【００７１】
1.28Mcps  TDD  UEについて、要求されるTMeasurement  FDD  interは次式を満たす：
【００７２】
【数１６】
2008533883.tif 000014
ここで：
Tbasic_measurement_FDD  inter＝50msで、他のパラメータは式(14)と同じである。
【００７３】
これも以下の問題がある。
【００７４】
TDD  UEが新たなRAT間WCDMA  TDDセルを式(12)および(13)から得られたTidentify,TDD内に識別し、該新たなRAT間WCDMA  TDDセルのCPICH測定結果を式(14)および(15)から得られるTMeasurement,TDD  inter内に上の層に報告する場合、UEはアイドル時間全体または式(1)に基づいて計算されるRAT間測定時間全体をRAT間測定を実行するために使う必要がある。これは、受信されるMBMSトラフィックについて、UEの復調パフォーマンスを劣化させることがありうる。
【００７５】
TDD  UEが、式(1)に基づいて計算されるRAT間測定を実行するためのRAT間測定時間の一部を、MBMS復調パフォーマンスを保証するために使う場合、UEは式(12)および(13)から得られるTidentify,TDD  inter内に新たなRAT間WCDMA  TDDセルを識別できないことがありえ、式(14)および(15)から得られるTMeasurement,TDD  inter内に新たなRAT間WCDMA  TDDセルのCPICH測定結果を上の層に報告できないことがありうる。
【００７６】
TDD  UEが周波数間TDDセルまたはRAT間WCDMA  FDDセルを測定および識別し、測定結果を報告するときに存在する上記の技術的欠点は、TDD  UEがGSMセルを測定および識別し、測定結果を報告するときにも生じる。
【発明の開示】
【発明が解決しようとする課題】
【００７７】
本発明は、周波数間／RAT間測定のための方法と、受信されたMBMS情報のための必要な復調パフォーマンスが保証されるという原則の上で、UEが確かな測定パフォーマンスで周波数間／RAT間測定を完了できるようにする必要な測定パフォーマンスを決定するための方法を開示する。
【００７８】
本発明は、サービスするセルの選択の方法およびUEをも提供する。
【課題を解決するための手段】
【００７９】
上記の問題を解決するため、本発明は以下の技術方式を開示する：
周波数間／RAT間測定のための方法であって：
UEが、システムが要求する周波数間／RAT間測定期間においてMBMSトラフィックを受信する第一の時間を予約し；
UEが、周波数間／RAT間測定のための第二の時間を予約し；
UEが第一の予約時間の間にMBMSトラフィックを受信し；
UEが第二の予約時間の間に周波数間／RAT間測定を実行する
ことを含む方法。
【００８０】
最適には、第一の予約時間は、受信されたMBMSトラフィックのための復調パフォーマンスを保証できる。
【００８１】
最適には、UEはTDD  UEであり、システムが要求する周波数間／RAT間測定時間は：
アイドル時間；および／または
TDD  UEがCELL_FACH状態にあるときに式
SFN＝(C_RNTI  mod  M_REP＋n×M_REP)×N
によって決定される測定時間、を含み、
TDD  UEは、上記の条件を満たすSFN内に周波数間／RAT間測定を実行し；
Nは、最大の送信タイミング期間（TTI:  transmission  timing  interval）をもつ順行アクセス・チャネル（FACH）のTTIを10msで割って得られる結果で、前記のFACHはTDD  UEがモニタリングする非MBMS論理チャネルを担う二次共通制御物理チャネル（SCCPCH:  secondary  common  control  physical  channel）上にあり；
M_REP＝2kで、M_REPは測定期間のサイクルを表し；Nフレームの測定時間についてのサイクルは、N×M_REPフレームであり；kはFACH測定期間サイクル係数を表し、システム情報11または12における情報要素「FACH測定機会情報」から取得されうるもので；
C_RNTIはTDD  UEのセル無線ネットワーク一時識別情報であり；
n＝0,1,2,…であり、ただし、SFNはその最大値より小さいという条件がある。
【００８２】
最適には、UEはFDD  UEであり、システムが要求する周波数間／RAT間測定時間は、FDD  UEがCELL_FACH状態にあるときに式
SFN＝(C_RNTI  mod  M_REP＋n×M_REP)×N
によって決定され、
FDD  UEは、上記の条件を満たすSFN内に周波数間／RAT間測定を実行し；
Nは、最大の送信タイミング期間（TTI:  transmission  timing  interval）をもつ順行アクセス・チャネル（FACH）のTTIを10msで割って得られる結果で、前記のFACHはFDD  UEがモニタリングする非MBMS論理チャネルを担う二次共通制御物理チャネル（SCCPCH:  secondary  common  control  physical  channel）上にあり；
M_REP＝2kで、M_REPは測定期間のサイクルを表し；Nフレームの測定時間についてのサイクルは、N×M_REPフレームであり；kはFACH測定期間サイクル係数を表し、システム情報11または12における情報要素「FACH測定機会情報」から取得されうるもので；
C_RNTIはFDD  UEのセル無線ネットワーク一時識別情報であり；
n＝0,1,2,…であり、ただし、SFNはその最大値より小さいという条件がある。
【００８３】
サービスするセルの選択の方法であって：
UEが、システムが要求する周波数間／RAT間測定時間内にMBMSトラフィックを受信する第一の時間を予約し；
UEが、周波数間／RAT間測定のための第二の時間を予約し；
UEが第二の予約時間の間に周波数間／RAT間測定を実行し；
UEが、前記測定の結果に基づいて、よりよい品質のセルを該UEにサービスするセルとして選択する、
ことを含む方法。
【００８４】
最適には、第一の予約時間は受信されたMBMSトラフィックの復調パフォーマンスを保証できる。
【００８５】
要求される測定パフォーマンスを決定する方法であって、MBMSトラフィックを受信するUEが、該要求される測定パフォーマンスを決定するときにも受信されたMBMS情報のための復調パフォーマンスを保証することを可能にする。
【００８６】
最適には、要求される測定パフォーマンスは、UEが新たなセルを識別するのに要求される時間である。
【００８７】
最適には、UEは、要求される識別時間を、受信されたMBMS情報のための復調パフォーマンスを保証する測定時間に基づいて決定する。
【００８８】
最適には、UEは、要求される識別時間を、受信されたMBMS情報のための復調パフォーマンスを保証する測定時間内に受信される標的セル・ブロードキャスト信号および／またはパイロット信号が存在するフレームまたはサブフレームの数に基づいて決定する。
【００８９】
最適には、UEは、要求される識別時間を、受信されたMBMS情報のための復調パフォーマンスを保証する測定時間から受信機変換時間を引いた時間に基づいて決定する。
【００９０】
最適には、UEは、要求される識別時間を、受信されたMBMS情報のための復調パフォーマンスを保証する測定時間から受信機変換時間を引いた時間内に受信される標的セル・ブロードキャスト信号および／またはパイロット信号が存在するフレームまたはサブフレームの数に基づいて決定する。
【００９１】
最適には、要求される測定パフォーマンスは、UEの物理層がセル測定結果を上の層に報告するのに要求される時間である。
【００９２】
最適には、UEは、要求される報告時間を、受信されたMBMS情報のための復調パフォーマンスを保証する測定時間に基づいて決定する。
【００９３】
最適には、UEは、要求される報告時間を、受信されたMBMS情報のための復調パフォーマンスを保証する測定時間内に受信される標的セル・ブロードキャスト信号および／またはパイロット信号が存在するフレームまたはサブフレームの数に基づいて決定する。
【００９４】
最適には、UEは、RAT間GSMセルのための要求される測定パフォーマンスを、受信されたMBMS情報のための復調パフォーマンスを保証する測定時間に基づいて決定する。
【００９５】
最適には、UEは、RAT間GSMセルのための要求される測定パフォーマンスを、受信されたMBMS情報のための復調パフォーマンスを保証する測定時間から受信機変換時間を引いた時間に基づいて決定する。
【００９６】
ユーザー装置であって：
システムが要求する周波数間／RAT間測定時間内にMBMSトラフィックを受信する第一の時間を予約する第一の時間予約ユニットと；
システムが要求する周波数間／RAT間測定時間内に周波数間／RAT間測定のための第二の時間を予約する第二の時間予約ユニットと；
第一の時間予約ユニットによって予約された第一の時間の間にMBMSトラフィックを受信するMBMS受信ユニットと；
第二の時間予約ユニットによって予約された第二の時間内に周波数間／RAT間測定を実行する測定ユニットとを含む。
【００９７】
ユーザー装置であって、MBMSトラフィックを受信する過程において受信されるMBMS情報のための復調パフォーマンスを保証するために要求される測定パフォーマンスを決定する、測定パフォーマンス決定ユニットを含む。
【００９８】
最適には、要求される測定パフォーマンスは：
UEが新たなセルを識別するのに要求される時間；および／または
UEの物理層がセル測定結果を上の層に報告するのに要求される時間を含む。
【発明の効果】
【００９９】
本発明は、次のような多くの恩恵をもたらす：
本発明によって提供される周波数間／RAT間測定のための方法は、MBMS情報を受信するUEが周波数間／RAT間セルを測定するときに、受信されるMBMSトラフィックのための要求される復調パフォーマンスが保証されることを確実にし、それにより、MBMS  PTMトラフィックを受信するTDD  UEが、MBMS  PTMトラフィックのための保証された復調パフォーマンスに基づいて周波数間／RAT間測定を実行することが実現される。
【０１００】
本発明によって提供される要求される測定パフォーマンスを決定する方法は、MBMS情報を受信するUEが要求される測定パフォーマンスを決定するときに、受信されるMBMS情報のための要求される復調パフォーマンスが保証されることを確実にする。それにより、本方法は、MBMS  PTMトラフィックを受信するUEが、新たな（周波数間／RAT間または周波数内）セルを識別するか、新たな（周波数間／RAT間または周波数内）セルの測定結果を報告するために要求される時間を決定するために（周波数間／RAT間または周波数内）測定時間全体を使う必要があるのに、MBMS復調パフォーマンスを保証する目的の（周波数間／RAT間または周波数内）測定を行うために、測定時間の一部（周波数間／RAT間または周波数内）しか使わないという対立を解消する。この方法により、要求される測定パフォーマンスは、要求されるMBMS復調パフォーマンスが保証される前提の上で満たされることができる。
【発明を実施するための最良の形態】
【０１０１】
本発明は、MBMS  PTMトラフィックを受信するTDD  UEが、周波数間／RAT間測定の進行のためにMBMS  PTMトラフィック受信の品質を犠牲にするという対立を解消するための周波数間／RAT間測定のための方法を開示する。本発明は、MBMS情報を受信するUEが周波数間／RAT間セルを測定するときに受信されるMBMS情報のための復調パフォーマンスを保証するという発想に基づいている。本方法はこうして、MBMS  PTMトラフィックを受信するTDD  UEが、MBMS  PTMトラフィックのための復調パフォーマンスを保証しつつ、周波数／システム間測定を実行することを可能にする。
本発明のある実施形態に基づく周波数間／RAT間測定の方法の採用により、MBMS  PTMトラフィックを受信するTDD  UEは次のようにして周波数／システム間測定を実行しうる：
TDD  UEがUTRANからシステム測定制御情報を受信し、しかるべく周波数間／RAT間セルの測定をトリガーする。
【０１０２】
TDD  UEが、アイドル時間および／または従来技術による式(1)から得られる測定時間から周波数間／RAT間測定時間の一部を第一の予約時間として選択し、MBMS  PTMトラフィックのための保証された復調パフォーマンスに基づいて、残り測定時間から周波数間／RAT間測定時間の一部を第二の予約時間として選択する。
【０１０３】
TDD  UEは、受信されるMBMS  PTMトラフィックのための復調パフォーマンスを保証するよう、第二の予約時間において周波数間／RAT間測定を実行し、第一の予約時間においてMBMS  PTMトラフィックを受信する
本発明のある実施形態に基づくMBMSトラフィック受信に基づく周波数間／RAT間測定の方法の採用により、MCCH情報またはMCCH情報とMBMS  PTMトラフィックの両方を受信するFDD  UEは次のようにして周波数間／RAT間測定を実行しうる：
FDD  UEがUTRANからシステム測定制御情報を受信し、しかるべく周波数間／RAT間セルの測定をトリガーする。
【０１０４】
FDD  UEが、従来技術による式(1)から得られる測定時間から周波数間／RAT間測定時間の一部を第一の予約時間として選択し、MCCH情報またはMCCH情報とMBMS  PTMトラフィックの両方のための保証された復調パフォーマンスに基づいて、残り測定時間から周波数間／RAT間測定時間の一部を第二の予約時間として選択する。
【０１０５】
FDD  UEは、受信されるMCCH情報またはMCCH情報とMBMS  PTMトラフィックの両方のための復調パフォーマンスを保証するよう、第二の予約時間において周波数間／RAT間測定を実行し、第一の予約時間においてMCCH情報またはMCCH情報とMBMS  PTMトラフィックの両方を受信する。
【０１０６】
本発明のもう一つの実施形態によれば、周波数間／RAT間測定のための方法は、MBMS  PTM制御情報（特にMCCH情報）を受信するTDD  UEにも適用できる。それによりTDD  UEは、受信されるMCCHトラフィックのための保証された復調パフォーマンスに基づいて周波数間／RAT間測定を実行する。この手順は、MBMS  PTMトラフィックを受信するための上記の手順と同様である。
【０１０７】
周波数間／RAT間測定のための上記の方法によれば、UEは第二の予約時間において周波数間／RAT間測定を実行し、さらにその測定結果に基づき、UEはよりよい品質のセルを、標的のサービスするセルとして選択する。
【０１０８】
周波数間／RAT間測定のための前記方法に基づき、本発明はさらに、保証されるMBMS復調パフォーマンスに基づいて得られる（周波数間／RAT間または周波数内）測定時間に従って、UEのための要求される測定パフォーマンスを決定する方法を提供する。これは、MBMS  PTMトラフィックを受信するUEが、新たな（周波数間／RAT間または周波数内）セルを識別するか、新たな（周波数間／RAT間または周波数内）セルの測定結果を報告するために要求される時間を決定するために（周波数間／RAT間または周波数内）測定時間全体を使う必要があるのに、MBMS復調パフォーマンスを保証する目的の（周波数間／RAT間または周波数内）測定を行うために、（周波数間／RAT間または周波数内）測定時間の一部しか使わないという対立を解消する。
【０１０９】
本発明のある実施形態によれば、要求される測定パフォーマンスを決定する方法が要求される測定パフォーマンスを決定するのは、MBMS情報（たとえばMBMS  PTMトラフィック）を受信するUE（たとえばTDD  UEまたはFDD  UE）についてMBMS情報（たとえばMBMS  PTMトラフィック）のための復調パフォーマンスを考慮に入れることによって行われる。こうして、UEは、測定パフォーマンスによって要求される時間内に新たなセルを識別し、あるいは測定結果を報告することができる。
【０１１０】
FDD  UEについては、本発明のある実施形態に基づく要求される測定パフォーマンスを決定する方法の採用は、次の目的を達成しうる：
CELL_FACH状態にあるMBMS  PTMトラフィックを受信するFDD  UEが新たな周波数間／RAT間セルを識別するためには、この方法は、UEが新たな周波数間／RAT間セルを識別するための時間を決定するときに、受信されるMBMSトラフィックのための復調パフォーマンスを考慮に入れ、それにより受信されるMBMSトラフィックのための復調パフォーマンスを保証する。
【０１１１】
CELL_FACH状態にあるMBMS  PTMトラフィックを受信するFDD  UEの物理層が新たな周波数間／RAT間セルの測定結果を上の層に報告するためには、この方法も、UEが測定結果を報告するための測定期間を決定するときに、受信されるMBMSトラフィックのための復調パフォーマンスを考慮に入れ、それにより受信されるMBMSトラフィックのための復調パフォーマンスを保証する。
【０１１２】
図１は、FDD  UEが、本発明のある実施形態に基づく要求される測定パフォーマンスを決定するための方法を採用して周波数間セルを識別する手順を示している。CELL_FACH状態にあるMBMS  PTMトラフィック（またはMCCH情報）を受信するFDD  UEが新たな周波数間セルを識別する手順は次のとおり：
ステップ１０：FDD  UEがUTRANからシステム測定制御情報を受信し、該測定制御情報内で指示される周波数間セル情報を取得して未識別の周波数間セルが存在していることを見出す。
【０１１３】
ステップ１１：FDD  UEが未識別の周波数間セルを検出する。
【０１１４】
ステップ１２：FDD  UEが、次の式を満たすSFNにおいて周波数間測定を実行して、ステップ１１で検出された未識別の周波数間セルを識別する：
SFN＝(C_RNTI  mod  M_REP＋n×M_REP)×N    (1)
上式で、Nは、最大の送信タイミング期間（TTI:  transmission  timing  interval）をもつ順行アクセス・チャネル（FACH）のTTIを10msで割って得られる結果を表し、前記のFACHはFDD  UEがモニタリングする非MBMS論理チャネルを担う二次共通制御物理チャネル（SCCPCH:  secondary  common  control  physical  channel）上にあり；
M_REP＝2kで、M_REPは測定期間のサイクルを表し；kはFACH測定期間サイクル係数を表し、システム情報11または12における情報要素「FACH測定機会情報」から取得されうるもので；
C_RNTIはUEのセル無線ネットワーク一時識別情報を表し；
n＝0,1,2,…であり、ただし、SFNはその最大値より小さいという条件がある。
【０１１５】
ステップ１３：FDD  UEは、次の公式から得られる識別時間内に、ステップ１１で検出された未識別の周波数間セルを識別する：
【０１１６】
【数１７】
2008533883.tif 000015
ここで：
Tidentify,interが、FDD  UEが新たな周波数間セルを識別する時間を表し；
Tbasic_identify_FDD,inter＝300msまたは800ms；これはFDD  UEが新たな周波数間セルを識別するための最大許容時間を表す；
NFreq,FDDは、UTRANからのシステム測定制御情報における周波数間セル・リストに含まれるFDD周波数の数を表す；
Tmeas＝［(NFDD＋NTDD＋NGSM)・NTTI・M_REP・10］
ここで：
NTTIはステップ１２におけるNに等しく、M_REPはステップ１２と同じである；
NFDDは0または1に等しい：近隣セル・リストにおいて周波数間FDDセルが存在すればNFDD=1であり、そうでなければNFDD＝0である；
NTDDは0または1に等しい：近隣セル・リストにおいて周波数間TDDセルが存在すればNTDD=1であり、そうでなければNTDD＝0である；
NGSMは0または1に等しい：近隣セル・リストにおいて周波数間GSMセルが存在すればNGSM=1であり、そうでなければNGSM＝0である；
TInterは、保証されるMBMS復調パフォーマンスに基づいてFDD  UEによって決定される利用可能な周波数間測定時間、あるいは保証されるMBMS復調パフォーマンスに基づいてFDD  UEによって決定される利用可能な周波数間測定時間から受信機変換時間を引いたものを表し；
前記受信機変換時間は、受信機のハードウェアに依存し；現在のところ通例2×0.5ms＝1msに等しい。
【０１１７】
ステップ１４：FDD  UEが、ステップ１３で識別された周波数間セルを、自分が記憶しているセル・リストにおいて、識別されたセルとしてマークする。
【０１１８】
図２は、FDD  UEが、本発明のある実施形態に基づく要求される測定パフォーマンスを決定するための方法を採用して周波数間セルのCPICH測定結果を上の層に報告する手順を示している。CELL_FACH状態にあるMBMS  PTMトラフィックを受信するFDD  UEが周波数間セルのCPICHを測定して該CPICH測定結果を報告する手順は次のとおり：
ステップ２０：FDD  UEがUTRANからシステム測定制御情報またはシステム・ブロードキャスト情報を受信し、周波数間セルについてのCPICH測定をトリガーする。
【０１１９】
ステップ２１：FDD  UEが、次の式を満たすSFNにおいて周波数間セルに対するCPICH測定を実行する。
【０１２０】
SFN＝(C_RNTI  mod  M_REP＋n×M_REP)×N    (17)
式中のパラメータは前記と同じである。
【０１２１】
ステップ２２：FDD  UEの物理層が次の公式から得られる測定時間内に、CPICH測定結果を上の層に報告する。
【０１２２】
【数１８】
2008533883.tif 000016
ここで：
Tmeasurement  interが、FDD  UEの物理層が周波数間セルのCPICH測定結果を報告する測定時間を示しており；
Tbasic_measurement_FDD,inter＝50ms；
TMeasurement_Period,Inter＝480ms；
TInterは、保証されるMBMS復調パフォーマンスに基づいてFDD  UEによって決定される利用可能な測定時間、あるいは保証されるMBMS復調パフォーマンスに基づいてFDD  UEによって決定される利用可能な測定時間から受信機変換時間を引いたものを表し；該変換時間は受信機のハードウェア機能に依存し、通例1msに等しい；
その他のパラメータについては、以前の説明を参照。
【０１２３】
ステップ２３：FDD  UEの上の層は、物理層によって報告されたCPICH測定結果を内部アルゴリズムにかけるか、あるいはその結果をRNCに報告する。
【０１２４】
図３は、FDD  UEが、本発明のある実施形態に基づく要求される測定パフォーマンスを決定するための方法を採用してRAT間WCDMA  TDDセルを識別する手順を示している。CELL_FACH状態にあるMBMS  PTMトラフィックを受信するFDD  UEが新たなRAT間WCDMA  TDDセルを識別する手順は次のとおり：
ステップ３０：FDD  UEがUTRANからシステム測定制御情報を受信し、該測定制御情報内で指示される周波数間セル情報を取得して未識別のRAT間WCDMA  TDDセルが存在していることを見出す。
【０１２５】
ステップ３１：FDD  UEが未識別のRAT間WCDMA  TDDセルを検出する。
【０１２６】
ステップ３２：FDD  UEが、次の式を満たすSFNにおいてRAT間測定を実行して、ステップ３１で検出された未識別のRAT間WCDMA  TDDセルを識別する：
SFN＝(C_RNTI  mod  M_REP＋n×M_REP)×N
上式中のパラメータについては、以前の記述を参照。
【０１２７】
ステップ３３：FDD  UEは、次の公式から得られる識別時間内に、未識別のRAT間WCDMA  TDDセルを識別する：
【０１２８】
【数１９】
2008533883.tif 000017
ここで：
Tidentify,TDDが、FDD  UEがRAT間WCDMA  TDDセルを識別する時間を表し；
Tbasic_identify_TDD,inter＝300msまたは800ms；これはFDD  UEがRAT間WCDMA  TDDセルを識別するための最大許容時間を表し；
NFreq,TDDはUTRANからのシステム測定制御情報における周波数間セル・リストに含まれるTDD周波数の数を表す；
TInterは、保証されるMBMS復調パフォーマンスに基づいてFDDによって決定される利用可能なRAT間測定時間、あるいは保証されるMBMS復調パフォーマンスに基づいてFDDによって決定される利用可能なRAT間測定時間から受信機変換時間を引いたものを表し；該変換時間は、受信機のハードウェア機能に依存し、通例1msに等しい；
その他のパラメータについては以前の記述を参照。
【０１２９】
ステップ３４：FDD  UEが、ステップ３３で新たに識別されたRAT間WCDMA  TDDセルを、自分が記憶しているセル・リストにおいて、識別されたセルとしてマークする。
【０１３０】
図４は、FDD  UEが、本発明のある実施形態に基づく要求される測定パフォーマンスを決定するための方法を採用してRAT間WCDMA  TDDセルのPCCPCH  RSCP測定結果を上の層に報告する手順を示している。CELL_FACH状態にあるMBMS  PTMトラフィックを受信するFDD  UEがRAT間WCDMA  TDDセルのPCCPCH  RSCPを測定して該PCCPCH  RSCP測定結果を報告する手順は次のとおり：
ステップ４０：FDD  UEがUTRANからシステム測定制御情報を受信し、RAT間WCDMA  TDDセルについてのPCCPCH  RSCP測定をトリガーする。
【０１３１】
ステップ４１：FDD  UEが、次の式を満たすSFNにおいてRAT間WCDMA  TDDセルに対するPCCPCH  RSCPを測定する：
SFN＝(C_RNTI  mod  M_REP＋n×M_REP)×N
式中のパラメータについては以前の記録を参照。
【０１３２】
ステップ４２：FDD  UEの物理層が次の公式から得られる測定時間内に、PCCPCH  RSCP測定結果を上の層に報告する。
【０１３３】
【数２０】
2008533883.tif 000018
ここで：
Tbasic_measurement_TDD,inter＝50ms；
TMeasurement_Period_TDD,inter＝480ms；
NFreq,TDDはUTRANからのシステム測定制御情報における周波数間セル・リストに含まれるTDD周波数の数を表す；
TInterは、保証されるMBMS復調パフォーマンスに基づいてFDD  UEによって決定される利用可能なRAT間測定時間、あるいは保証されるMBMS復調パフォーマンスに基づいてFDD  UEによって決定される利用可能なRAT間測定時間から受信機変換時間を引いたものを表し；該変換時間は、受信機のハードウェア機能に依存し、通例1msに等しい；
ステップ４３：FDD  UEの上の層が、物理層によって報告されたPCCPCH  RSCP測定結果を内部アルゴリズムにかけ、あるいはその結果をRNCに報告する。
【０１３４】
図５は、FDD  UEが、本発明のある実施形態に基づく要求される測定パフォーマンスを決定するための方法を採用してRAT間GSMセルを識別する手順を示している。CELL_FACH状態にあるMBMS  PTMトラフィックを受信するFDD  UEが新たなRAT間GSMセルを識別し、あるいは識別されたRAT間GSMセルを測定する手順は次のとおり：
ステップ５０：FDD  UEがUTRANからシステム測定制御情報を受信し、該測定制御情報内で指示されるRAT間セル情報を取得して未識別のRAT間GSMセルが存在しており、識別されたRAT間GSMセルを測定する必要があることを見出す。
【０１３５】
ステップ５１：FDD  UEが未識別のRAT間GSMセルを検出する、あるいは識別されたRAT間GSMセルを測定する。
【０１３６】
ステップ５２：FDD  UEが、下記の式を満たすSFNにおいてRAT間GSMセルを測定して、ステップ５１で検出された未識別のRAT間GSMセルを識別する、あるいは保証されたMBMS復調パフォーマンスに基づいて決定される利用可能な周波数間測定時間内または受信機変換プロセスがある場合には前記利用可能な周波数間測定時間から受信機変換時間を引いた時間内に未識別のRAT間GSMセルを測定する：
SFN＝(C_RNTI  mod  M_REP＋n×M_REP)×N
前記変換時間は受信機のハードウェア機能に依存し、通例1msに等しい；
ここで：
Nは、最大のTTIをもつFACHのTTIを10msで割って得られる値を表し、前記のFACHはFDD  UEがモニタリングする非MBMS論理チャネルを担うSCCPCH上にあり；
M_REP＝2kで、M_REPは測定期間のサイクルを表し；Nフレームの測定時間についてのサイクルは、N×M_REPフレームであり；kはFACH測定期間サイクル係数を表し、システム情報11または12における情報要素「FACH測定機会情報」から取得されうるもので；
C_RNTIはFDD  UEのセル無線ネットワーク一時識別情報を表し；
n＝0,1,2,…であり、ただし、SFNはその最大値より小さいという条件がある。
【０１３７】
ステップ５３：FDD  UEが、新たに識別されたRAT間GSMセルを、自分が記憶しているセル・リストにおいて、識別されたセルとしてマークし、あるいは識別されたRAT間GSMセルの測定結果を報告する。
【０１３８】
この手順は、CELL_FACH状態にあるMBMS  PTMトラフィックを受信するFDD  UEが、受信信号強度指標（RSSI:  received  signal  strength  indicator）を測定するか、あるいはGSMセルのベース・トランシーバー局識別コード（BSIC:  base  transceiver  station  identity  code）を識別するか、あるいはBSICを再確認する（revalidate）するときにも適用可能である。
【０１３９】
本発明のもう一つの実施形態によれば、要求される測定パフォーマンスを決定する方法は、MBMS情報を受信するFDD  UEが周波数内セルを測定するときにも適用可能である。この場合、UEが要求される測定パフォーマンスを決定するのは、MBMS情報（たとえばMBMS  PTMトラフィックまたはMCCH情報）のための復調パフォーマンスを考慮に入れることによって行われる。こうして、UEは、保証されるMBMS復調パフォーマンスに基づく測定パフォーマンスによって要求される時間内に新たなセルの識別を終え、あるいは測定結果を上の層に報告することが確実になる。
【０１４０】
FDD  UEは、次の公式から得られるTidentify,intra内に新たな周波数内セルを識別する：
【０１４１】
【数２１】
2008533883.tif 000019
ここで、
Tintraは、保証されるMBMS復調パフォーマンスに基づいてFDD  UEによって決定される利用可能な周波数内測定時間を表し、あるいは受信機変換時間が考慮される場合にはTintraは、保証されるMBMS復調パフォーマンスに基づいてFDD  UEによって決定される利用可能な周波数内測定時間から受信機変換時間（ms単位で測る）を引いた時間を表す。
【０１４２】
受信機変換時間は受信機のハードウェア機能に依存し、通例2×0.5ms＝1msに等しい。
【０１４３】
その他のパラメータについては、以前の記述を参照。
【０１４４】
さらに、FDD  UEは、周波数内測定結果を上の層に200msの規則的な間隔で報告するが、報告されるセル数は次の式によって決定される：
【０１４５】
【数２２】
2008533883.tif 000020
Tin＝NTTI×10で、これは保証されたMBMS復調パフォーマンスに基づいてUEによって決定される利用可能な周波数間／RAT間測定時間、あるいは保証されたMBMS復調パフォーマンスに基づいてUEによって決定される利用可能な周波数間／RAT間測定時間から受信機変換時間を引いた時間を表す。
【０１４６】
本発明のもう一つの実施形態に基づき、要求される測定パフォーマンスを決定する方法がTDD  UEに適用される場合、手順は次のようになる：
TDD  UEがUTRANからシステム測定制御情報を受信し、しかるべく周波数間／RAT間測定をトリガーする。
【０１４７】
TDD  UEが、MBMS  PTMトラフィック（またはMCCH情報）についての保証される復調パフォーマンスに基づいて、アイドル時間および／または従来技術による式(1)から計算される測定時間の一部を周波数間／RAT間測定時間として選択する。
【０１４８】
TDD  UEは、周波数間／RAT間測定時間時間内に周波数間／RAT間測定を実行し、多の時間においてMBMS  PTMトラフィックを受信する。
【０１４９】
TDD  UEは、ステップ２で選択された周波数間／RAT間測定時間を使うことによって要求される周波数間／RAT間測定パフォーマンスを決定する。
【０１５０】
決定された測定パフォーマンス要求に従って、MBMS  PTMトラフィックを受信するTDD  UEは次の手順によって新たな周波数間セルを識別する：
TDD  UEが、未識別の周波数間セルの存在を見出すために、システム測定制御情報をUTRANから受信し、該測定制御情報において指示されている周波数間セル情報を取得する。
【０１５１】
TDD  UEが未識別の周波数間セルを検出する。
【０１５２】
TDD  UEは、アイドル時間および／または従来技術による式(1)から計算される測定時間の部分内に周波数間測定を実行して、新たな周波数間セルを識別しようとする。
【０１５３】
TDD  UEが下記の公式から得られる時間内に、新たな周波数間セルの識別を終える。
【０１５４】
3.84Mcps  TDD  UEについて、モニタ・セットにおいて新たな周波数間TDDセルを識別するために、要求される識別時間は次式を満たす：
【０１５５】
【数２３】
2008533883.tif 000021
ここで：
TInterは、保証されるMBMS復調パフォーマンスに基づいてTDD  UEによって決定される利用可能な周波数間測定時間を表し、あるいは受信機変換時間が考慮される場合には、TInterは、保証されるMBMS復調パフォーマンスに基づいてTDD  UEによって決定される利用可能な周波数間測定時間から受信機変換時間を引いた時間を表し；該変換時間は、受信機のハードウェア機能に依存し、通例2×0.5ms＝1msに等しい；
他のパラメータについては、従来技術の式(8)の記述を参照。
【０１５６】
1.28Mcps  TDD  UEについて、モニタ・セットにおいて新たな周波数間TDDセルを識別するために、要求される識別時間は次式を満たす：
【０１５７】
【数２４】
2008533883.tif 000022
ここで：
NInterは、PCCPCHおよびDwPCH信号が存在しているサブフレームの数を表し、該PCCPCHおよびDwPCH信号は、標的周波数間TDDセルから、保証されるMBMS復調パフォーマンスに基づいてTDD  UEによって決定される利用可能な周波数間測定時間内に受信され；受信機変換時間が考慮される場合には、NInterは、PCCPCHおよびDwPCH信号が存在しているサブフレームの数を表し、該PCCPCHおよびDwPCH信号は、標的周波数間TDDセルから、保証されるMBMS復調パフォーマンスに基づいてTDD  UEによって決定される利用可能な周波数間測定時間から受信機変換時間を引いた時間内に受信される；該変換時間は、受信機のハードウェア機能に依存し、通例2×0.5ms＝1msに等しい；
他のパラメータについては、従来技術の式(9)の以前の記述を参照。
【０１５８】
TDD  UEは、新たに識別された周波数間TDDセルを、自分が記憶しているセル・リストにおいて、識別されたセルとしてマークする。
MBMS  PTMトラフィックを受信するTDD  UEは、下記の手順によって周波数間TDDセルのPCCPCHを測定する：
TDD  UEが、システム測定制御情報をUTRANから受信し、周波数間TDDセルに対するPCCPCH測定をトリガーする。
【０１５９】
TDD  UEは、アイドル時間および／または従来技術による式(1)から得られる測定時間の部分内に周波数間TDDセルのPCCPCHを測定する。
【０１６０】
TDD  UEの物理層が、次の公式から計算されるTMeasurement,Inter内に、測定結果を上の層に報告する。
【０１６１】
3.84Mcps  TDD  UEについて、要求されるTMeasurement,interは次式を満たす：
【０１６２】
【数２５】
2008533883.tif 000023
ここで：
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す。
【０１６３】
受信機変換時間は、受信機のハードウェア機能に依存し、通例2×0.5ms＝1msに等しい；
他のパラメータについては、従来技術の式(10)の記述を参照。
【０１６４】
1.28Mcps  TDD  UEについて、要求されるTMeasurement  interは次式を満たす：
【０１６５】
【数２６】
2008533883.tif 000024
ここで：
NInterは、PCCPCHおよびDwPCH信号が存在しているサブフレームの数を表し、該PCCPCHおよびDwPCH信号は、標的周波数間TDDセルから、保証されるMBMS復調パフォーマンスに基づいてTDD  UEによって決定される利用可能な周波数間測定時間内に受信され；受信機変換時間が考慮される場合には、NInterは、PCCPCHおよびDwPCH信号が存在しているサブフレームの数を表し、該PCCPCHおよびDwPCH信号は、標的周波数間TDDセルから、保証されるMBMS復調パフォーマンスに基づいてTDD  UEによって決定される利用可能な周波数間測定時間から受信機変換時間を引いた時間内に受信される；
受信機変換時間は、受信機のハードウェア機能に依存し、通例2×0.5ms＝1msに等しい；
他のパラメータについては、従来技術の式(11)の以前の記述を参照。
【０１６６】
TDD  UEの上の層は、物理層によって報告された測定結果を内部アルゴリズムにかける（たとえば、該測定結果は、セル再選択アルゴリズムの入力パラメータであってもよい）か、あるいは測定結果をRNCに報告する。
上で決定された測定パフォーマンスによれば、MBMS  PTMトラフィックを受信するTDD  UEは、以下の手順によって新たなWCDMA  FDDセルを識別する：
TDD  UEが、未識別のWCDMA  FDDセルの存在を見出すために、UTRANからシステム測定制御情報をUTRANから受信し、該測定制御情報において指示されているWCDMA  FDDセル情報を取得する。
【０１６７】
TDD  UEが未識別のWCDMA  FDDセルを検出する。
【０１６８】
TDD  UEは、アイドル時間および／または従来技術による式(1)から計算される周波数間測定時間の部分内にRAT間セル測定を実行して、新たなRAT間WCDMA  FDDセルを識別しようとする。
【０１６９】
TDD  UEが下記の公式から得られる時間内に、新たなRAT間WCDMA  FDDセルの識別を終える：
MBMS  PTMトラフィックを受信するTDD  UEが、モニタ・セットにおいて新たなRAT間WCDMA  FDDセルを識別する場合、要求される識別時間Tidentify  FDD  interは次式を満たす：
3.84Mcps  TDD  UEについて、モニタ・セットにおいて新たなRAT間WCDMA  FDDセルを識別するために、要求されるTidentify  FDD  interは次式を満たす：
【０１７０】
【数２７】
2008533883.tif 000025
ここで：
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す；
受信機変換時間は、受信機のハードウェア機能に依存し、通例2×0.5ms＝1msに等しい；
他のパラメータについては、従来技術の式(12)の記述を参照。
【０１７１】
1.28Mcps  TDD  UEについて、モニタ・セットにおいて新たなRAT間WCDMA  FDDセルを識別するために、要求されるTidentify_FDD  interは次式を満たす：
【０１７２】
【数２８】
2008533883.tif 000026
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す；
受信機変換時間は、受信機のハードウェア機能に依存し、通例2×0.5ms＝1msに等しい；
他のパラメータについては、従来技術の式(13)の関連記述を参照。
【０１７３】
TDD  UEは、新たに識別されたRAT間WCDMA  FDDセルを、自分が記憶しているセル・リストにおいて、識別されたセルとしてマークする。
MBMSトラフィックを受信するTDD  UEは、RAT間WCDMA  FDDセルのCPICHを測定し、測定結果を報告することを以下の手順で行う：
TDD  UEがUTRANからシステム測定制御情報またはシステム・ブロードキャスト情報を受信し、RAT間WCDMA  FDDセルのCPICH測定をトリガーする。
【０１７４】
TDD  UEが、アイドル時間および／または従来技術による式(1)から計算される測定時間から選択する時間の部分内に、RAT間WCDMA  FDDセルのCPICHを測定する。
【０１７５】
TDD  UEの物理層が次の公式から得られるTMeasurement  FDD,Inter内に、CPICH測定結果を上の層に報告する。
【０１７６】
3.84Mcps  TDD  UEについて、要求されるTMeasurement  FDD  Interは次式を満たす：
【０１７７】
【数２９】
2008533883.tif 000027
ここで：
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す；
受信機変換時間は、受信機のハードウェア機能に依存し、通例2×0.5ms＝1msに等しい；
他のパラメータについては、従来技術の式(14)の関連記述を参照。
【０１７８】
1.28Mcps  TDD  UEについて、要求されるTMeasurement_FDD  interは次式を満たす：
【０１７９】
【数３０】
2008533883.tif 000028
ここで：
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す；
受信機変換時間は、受信機のハードウェア機能に依存し、通例2×0.5ms＝1msに等しい；
他のパラメータについては、従来技術の式(15)の関連記述を参照。
【０１８０】
TDD  UEの上の層は、物理層から報告された測定結果を内部アルゴリズムにかける（たとえば、該測定結果は、セル再選択アルゴリズムの入力パラメータであってもよい）か、あるいは測定結果をRNCに報告する。
【０１８１】
本発明のもう一つの実施形態によれば、要求される測定パフォーマンスを決定する方法は、MBMS情報を受信するTDD  UEが周波数内セルを測定するときにも適用可能である。この場合、UEが要求される測定パフォーマンスを決定するのは、MBMS情報（たとえばMBMS  PTMトラフィックまたはMCCH情報）のための復調パフォーマンスを考慮に入れることによって行われる。こうして、UEは、保証されるMBMS復調パフォーマンスに基づく測定パフォーマンスによって要求される時間内に新たなセルの識別を終え、あるいは測定結果を上の層に報告することが確実になる。
【０１８２】
1.28Mcps  TDD  UEは、下記のTidentify  intra内に新たな周波数内セルの識別を終える：
【０１８３】
【数３１】
2008533883.tif 000029
ここで：
Nperiod,intra＝40ms；
Nintraは標的周波数内TDDセルのPCCPCHおよびDwPCH信号が存在しているサブフレームの数を表し、該PCCPCHおよびDwPCH信号は、保証されるMBMS復調パフォーマンスに基づいてUEによって決定される利用可能な周波数内測定時間内に受信される。
【０１８４】
1.28Mcps  TDD  UEは、周波数内測定結果を上の層に200msの規則的な間隔で報告するが、PCCPCH測定報告のためのセル数は次の式によって決定される：
【０１８５】
【数３２】
2008533883.tif 000030
式中のパラメータについては以前の記述を参照。
【０１８６】
上で決定された測定パフォーマンスに基づき、MBMS  PTMトラフィックを受信するTDD  UEは、以下の手順に従ってGSMセルを測定する：
TDD  UEがUTRANからシステム測定制御情報を受信し、該測定制御情報内で指示されるGSMセル情報を取得して未識別のGSMセルが存在しており、識別されたRAT間GSMセルを測定する必要があることを見出す。
【０１８７】
TDD  UEが未識別のRAT間GSMセルを検出する、あるいは識別されたRAT間GSMセルの受信信号を測定する。
【０１８８】
TDD  UEが、RAT間GSMセルを測定して、上記ステップで検出された未識別のGSMセルを識別する、あるいはアイドル時間および／または従来技術による式(1)から得られる測定時間から選択する時間の部分内に、識別されたRAT間GSMセルの受信信号を測定する。前記で選択される時間は、具体的には、保証されるMBMS復調パフォーマンスに基づいてUEによって決定される利用可能な周波数間測定時間である。受信機変換プロセスがあれば、該時間は、保証されるMBMS復調パフォーマンスに基づいてUEによって決定される利用可能な周波数間測定時間から受信機変換時間を引いた時間になる；該変換時間は受信機のハードウェア機能に依存し、通例1msに等しい。
【０１８９】
TDD  UEが、新たに識別されたRAT間GSMセルを、自分が記憶しているセル・リストにおいて、識別されたものとしてマークし、あるいは識別されたRAT間GSMセルの測定された受信信号品質を報告する。
【０１９０】
この手順は、MBMS  PTMトラフィックを受信するTDD  UEが、RSSIを測定するか、あるいはBSICを識別するか、あるいはGSMセルのBSICを再確認する（revalidate）するときにも適用可能である。
【０１９１】
同様に、この方法は、GSM通信システムにおいてグループ・ボイス・コールまたはボイス・ブロードキャスト・サービスにも適用可能である。
【０１９２】
周波数間／RAT間測定のための方法に対応して、本発明によってユーザー装置も提供される。図６は、本発明のある実施形態に基づくUEの構造を示す図である。図６に示されるように、UEは第一の時間予約ユニット１００、第二の時間予約ユニット２００、MBMS受信ユニット３００および測定ユニット４００を含む。各ユニットの機能は以下のとおり：
第一の時間予約ユニット１００は、システムが要求する周波数間／RAT間測定時間から、MBMSトラフィックを受信するための第一の時間を予約する。
【０１９３】
第二の時間予約ユニット２００は、システムが要求する周波数間／RAT間測定時間から、周波数間／RAT間測定のための第二の時間を予約する。
【０１９４】
MBMS受信ユニット３００は、第一の時間予約ユニット１００によって予約された第一の時間の間にMBMSトラフィックを受信する。
【０１９５】
測定ユニット４００は、第二の時間予約ユニット２００によって予約された第二の時間内に周波数間／RAT間測定を実行する。
【０１９６】
本発明のもう一つの実施形態によれば、前記UEは、MBMSトラフィックを受信する過程において受信されるMBMSトラフィックのための復調パフォーマンスを保証するために要求される測定パフォーマンスを決定する、測定パフォーマンス決定ユニットを含む。最適には、要求される測定パフォーマンスは：
UEが新たなセルを識別するのに要求される時間；および／または
UEの物理層がセル測定結果を上の層に報告するのに要求される時間を含む。
【０１９７】
UEの技術的な実装の詳細は、本発明によって提供される方法の記述においてすでに述べられている。
【０１９８】
本発明は、いくつかの好ましい実施形態を参照しつつ図解し、説明してきたが、本発明はそれらに限定されるものではない。当業者は、本発明の精神および範囲から外れることなくさまざまな変形および修正を施しうる。本発明は、付属の請求項によって定義される保護範囲およびその等価物にはいる限り、これらの修正および変形をもカバーすることが意図されている。
【図面の簡単な説明】
【０１９９】
【図１】FDD  UEが、本発明のある実施形態に基づく要求される測定パフォーマンスを決定するための方法を採用して周波数間セルを識別する手順を示す図である。
【図２】FDD  UEが、本発明のある実施形態に基づく要求される測定パフォーマンスを決定するための方法を採用して上の層に周波数間セルのCPICH測定結果を報告する手順を示す図である。
【図３】FDD  UEが、本発明のある実施形態に基づく要求される測定パフォーマンスを決定するための方法を採用してRAT間WCDMA  TDDセルを識別する手順を示す図である。
【図４】FDD  UEが、本発明のある実施形態に基づく要求される測定パフォーマンスを決定するための方法を採用してRAT間WCDMA  TDDセルのPCCPCH  RSCP測定結果を上の層に報告する手順を示す図である。
【図５】FDD  UEが、本発明のある実施形態に基づく要求される測定パフォーマンスを決定するための方法を採用してRAT間GSMセルを識別する手順を示す図である。
【図６】本発明のある実施形態に基づくUEの構造を示す図である。
【図１】
2008533883.tif 000035
【図２】
2008533883.tif 000036
【図３】
2008533883.tif 000037
【図４】
2008533883.tif 000038
【図５】
2008533883.tif 000039
【図６】
2008533883.tif 000040
【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
周波数間／RAT間測定のための方法であって：
マルチメディア・ブロードキャスト／マルチキャスト・サービス（MBMS）トラフィック受信のための第一の時間を予約する段階と；
周波数間／RAT間測定のための第二の時間を予約する段階と、ここで、前記第一の時間および前記第二の時間はシステムが要求する周波数間／RAT間測定時間のうちからユーザー装置（UE）によって予約されるものであり；
予約された第一の時間においてMBMSトラフィックを受信し；
予約された第二の時間において周波数間／RAT間測定を実行する、
ことを含む方法。
【請求項２】
UEによって予約される第一の予約時間が、受信されたMBMSトラフィックのための復調パフォーマンスを保証できる、請求項１記載の方法。
【請求項３】
UEがTDD  UEである、請求項１記載の方法。
【請求項４】
前記システムが要求する周波数間／RAT間測定時間は：
アイドル時間；および／または
TDD  UEがCELL_FACH状態にあるときに式
SFN＝(C_RNTI  mod  M_REP＋n×M_REP)×N
によって決定される測定時間、を含み、TDD  UEは、上記の式を満たすSFNにおいて周波数間／RAT間測定を実行し；
Nは、最大の送信タイミング期間（TTI）をもつ順行アクセス・チャネル（FACH）のTTIを10msで割って得られる値で、前記のFACHはTDD  UEがモニタリングする非MBMS論理チャネルを担う二次共通制御物理チャネル（SCCPCH）上にあり；
M_REP＝2kで、M_REPは測定期間のサイクルを表し；Nフレームの測定時間についてのサイクルは、N×M_REPフレームであり；kはFACH測定期間サイクル係数を表し、システム情報11または12における情報要素「FACH測定機会情報」から取得されうるもので；
C_RNTIはTDD  UEのセル無線ネットワーク一時識別情報を表し；
n＝0,1,2,…であり、ただし、SFNはその最大値より小さいことを特徴とする、
請求項３記載の方法。
【請求項５】
UEがFDD  UEである、請求項１記載の方法。
【請求項６】
前記システムが要求する周波数間／RAT間測定時間は、FDD  UEがCELL_FACH状態にあるときに式
SFN＝(C_RNTI  mod  M_REP＋n×M_REP)×N
によって決定され、
FDD  UEは、上記の式を満たすSFNにおいて周波数間／RAT間測定を実行し；
Nは、最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；Nフレームの測定時間についてのサイクルは、N×M_REPフレームであり；kはFACH測定期間サイクル係数を表し、システム情報11または12における情報要素「FACH測定機会情報」から取得されうるもので；
C_RNTIはFDD  UEのセル無線ネットワーク一時識別情報であり；
n＝0,1,2,…であり、ただし、SFNはその最大値より小さいことを特徴とする、
請求項５記載の方法。
【請求項７】
前記MBMSが：
MBMSポイント・ツー・ポイント（PTP）トラフィック情報；および／または
MBMS  PTP制御情報；および／または
MBMSポイント・ツー・マルチポイント（PTM）トラフィック情報；および／または
MBMS  PTM制御情報、
を含む、請求項１ないし６のうちいずれか一項記載の方法。
【請求項８】
サービスするセルを選択する方法であって：
MBMSトラフィック受信のための第一の時間を予約し；
周波数間／RAT間測定のための第二の時間を予約し、ここで、前記第一の時間および前記第二の時間はシステムが要求する周波数間／RAT間測定時間のうちからUEによって予約されるものであり；
予約された第二の時間において周波数間／RAT間測定を実行し；
測定結果に基づいて、よりよい品質のセルをサービスするセルとして選択する、
ことを含む方法。
【請求項９】
予約された第一の時間が、受信されたMBMSトラフィックの復調パフォーマンスを保証できる、請求項８記載の方法。
【請求項１０】
要求される測定パフォーマンスを決定する方法であって、MBMS情報を受信するユーザー装置（UE）が、受信されるMBMS情報のための復調パフォーマンスを保証しつつ要求される測定パフォーマンスを決定する方法。
【請求項１１】
要求される測定パフォーマンスが、UEが新たなセルを識別するのに要求される時間である、請求項１０記載の方法。
【請求項１２】
前記UEが、該UEが新たなセルを識別するのに要求される時間を決定するのを、受信されるMBMS情報のための復調パフォーマンスを保証できる測定時間に基づいて行う、請求項１１記載の方法。
【請求項１３】
前記UEが、該UEが新たなセルを識別するのに要求される時間を決定するのを、標的セルのブロードキャスト信号および／またはパイロット信号が存在するフレームまたはサブフレームの数に基づいて行い、該ブロードキャスト信号および／またはパイロット信号は受信されるMBMS情報のための復調パフォーマンスを保証できる測定時間内に受信されるものである、請求項１１記載の方法。
【請求項１４】
前記UEが、該UEが新たなセルを識別するのに要求される時間を決定するのを、受信されるMBMS情報のための復調パフォーマンスを保証できる測定時間から受信機変換時間を引いた時間に基づいて行う、請求項１１記載の方法。
【請求項１５】
前記UEがCELL_FACH状態においてMBMS  PTMトラフィックを受信するFDD  UEであり；前記UEが、新たな周波数間セルを識別するのに要求される時間を、式
【数１】
2008533883.tif 000041
によって決定し、ここで、Tidentify,interがFDD  UEが周波数間セルを識別する時間を表し；
Tbasic_identify_FDD,inter＝300msまたは800msで、これはFDD  UEが周波数間セルを識別するための最大許容時間を表し；
NFreq,FDDは、UTRANによって送られたシステム測定制御情報における周波数間セル・リストに含まれるFDD周波数の数を表し；
Tmeas＝［(NFDD＋NTDD＋NGSM)・NTTI・M_REP・10］であり、
ここで：
NTTIは最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；kはFACH測定期間サイクル係数を表し、システム情報11または12における情報要素「FACH測定機会情報」から取得されうるもので；
NFDDは0または1に等しく：近隣セル・リストにおいて周波数間FDDセルが存在すればNFDD=1であり、そうでなければNFDD＝0であり；
NTDDは0または1に等しく：近隣セル・リストにおいて周波数間TDDセルが存在すればNTDD=1であり、そうでなければNTDD＝0であり；
NGSMは0または1に等しく：近隣セル・リストにおいて周波数間GSMセルが存在すればNGSM=1であり、そうでなければNGSM＝0であり；
TInterは、受信されるMBMS情報についての保証される復調パフォーマンスに基づいてFDD  UEによって決定される利用可能な周波数間測定時間から受信機変換時間を引いた時間を表す
請求項１４記載の方法。
【請求項１６】
前記UEがCELL_FACH状態においてMBMS  PTMトラフィックを受信するFDD  UEであり；前記UEが、新たなRAT間WCDMA  TDDセルを識別するのに要求される時間を、式
【数２】
2008533883.tif 000042
を使って決定し、ここで、Tidentify,TDDがRAT間WCDMA  TDDセルを識別する時間を表し；
Tbasic_identify_TDD,inter＝300msまたは800msで、これは前記UEがRAT間WCDMA  TDDセルを識別するための最大許容時間を表し；
NFreq,TDDは、UTRANからのシステム測定制御情報における周波数間セル・リストに含まれるTDD周波数の数を表し；
Tmeas＝［(NFDD＋NTDD＋NGSM)・NTTI・M_REP・10］であり、
ここで：
NTTIは最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；kはFACH測定期間サイクル係数を表し、システム情報11または12における情報要素「FACH測定機会情報」から取得されうるもので；
NFDDは0または1に等しく：近隣セル・リストにおいて周波数間FDDセルが存在すればNFDD=1であり、そうでなければNFDD＝0であり；
NTDDは0または1に等しく：近隣セル・リストにおいて周波数間TDDセルが存在すればNTDD=1であり、そうでなければNTDD＝0であり；
NGSMは0または1に等しく：近隣セル・リストにおいて周波数間GSMセルが存在すればNGSM=1であり、そうでなければNGSM＝0であり；
TInterは、受信されるMBMS情報についての保証される復調パフォーマンスに基づいてFDD  UEによって決定される利用可能な周波数間測定時間から受信機変換時間を引いた時間を表す、
請求項１４記載の方法。
【請求項１７】
前記UEが、該UEが新たなセルを識別するのに要求される時間を決定するのを、標的セルのブロードキャスト信号および／またはパイロット信号が存在するフレームまたはサブフレームの数に基づいて行い、該ブロードキャスト信号および／またはパイロット信号は受信されるMBMS情報のための復調パフォーマンスを保証できる測定時間から受信機変換時間を引いた時間内に受信されるものである、請求項１１記載の方法。
【請求項１８】
要求される測定パフォーマンスが、UEの物理層がセル測定結果を上の層に報告するのに要求される報告時間である、請求項１０記載の方法。
【請求項１９】
前記UEが、前記報告時間を決定するのを、受信されるMBMS情報のための復調パフォーマンスを保証できる測定時間に基づいて行う、請求項１８記載の方法。
【請求項２０】
前記UEが、前記報告時間を決定するのを、標的セルのブロードキャスト信号および／またはパイロット信号が存在するフレームまたはサブフレームの数に基づいて行い、該ブロードキャスト信号および／またはパイロット信号は受信されるMBMS情報のための復調パフォーマンスを保証できる測定時間内に受信されるものである、請求項１８記載の方法。
【請求項２１】
前記UEが、前記報告時間を決定するのを、受信されるMBMS情報のための復調パフォーマンスを保証できる測定時間から受信機変換時間を引いた時間に基づいて行う、請求項１８記載の方法。
【請求項２２】
前記UEがCELL_FACH状態においてMBMS  PTMトラフィックを受信するFDD  UEであり；前記UEが、周波数間セルの測定結果を報告するのに要求される時間を、式
【数３】
2008533883.tif 000043
によって決定し、
ここで、Tmeasurement  interが、周波数間セルのCPICH測定結果を報告する測定時間を表し；
Tbasic_measurement_FDD,inter＝50msであり；
TMeasurement_Period,Inter＝480msであり；
NFreq,FDDは、UTRANによって送られたシステム測定制御情報における周波数間セル・リストに含まれるFDD周波数の数を表し；
Tmeas＝［(NFDD＋NTDD＋NGSM)・NTTI・M_REP・10］であり、
ここで：
NTTIは最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；kはFACH測定期間サイクル係数を表し、システム情報11または12における情報要素「FACH測定機会情報」から取得されうるもので；
NFDDは0または1に等しく：近隣セル・リストにおいて周波数間FDDセルが存在すればNFDD=1であり、そうでなければNFDD＝0であり；
NTDDは0または1に等しく：近隣セル・リストにおいて周波数間TDDセルが存在すればNTDD=1であり、そうでなければNTDD＝0であり；
NGSMは0または1に等しく：近隣セル・リストにおいて周波数間GSMセルが存在すればNGSM=1であり、そうでなければNGSM＝0であり；
TInterは、受信されるMBMS情報についての保証される復調パフォーマンスに基づいてFDD  UEによって決定される利用可能な周波数間測定時間から受信機変換時間を引いた時間を表す、
請求項２１記載の方法。
【請求項２３】
前記UEがCELL_FACH状態においてMBMS  PTMトラフィックを受信するFDD  UEであり；前記UEが、RAT間WCDMA  TDDセルの測定結果を報告するのに要求される時間を、式
【数４】
2008533883.tif 000044
を使って決定し、ここで、Tmeasurement,TDDがRAT間WCDMA  TDDセルのPCCPCH  RSCP測定結果を報告するための測定時間を表し；
Tbasic_measurement_TDD,inter＝50msであり；
TMeasurement_Period_TDD,inter＝480msであり；
NFreq,TDDは、UTRANからのシステム測定制御情報における周波数間セル・リストに含まれるTDD周波数の数を表し；
Tmeas＝［(NFDD＋NTDD＋NGSM)・NTTI・M_REP・10］であり、
ここで：
NTTIは最大の送信タイミング期間（TTI）をもつ順行アクセス・チャネル（FACH）のTTIを10msで割って得られる値で、前記のFACHはFDD  UEがモニタリングする非MBMS論理チャネルを担う二次共通制御物理チャネル（SCCPCH）上にあり；
M_REP＝2kで、M_REPは測定期間のサイクルを表し；kはFACH測定期間サイクル係数を表し、システム情報11または12における情報要素「FACH測定機会情報」から取得されうるもので；
NFDDは0または1に等しく：近隣セル・リストにおいて周波数間FDDセルが存在すればNFDD=1であり、そうでなければNFDD＝0であり；
NTDDは0または1に等しく：近隣セル・リストにおいて周波数間TDDセルが存在すればNTDD=1であり、そうでなければNTDD＝0であり；
NGSMは0または1に等しく：近隣セル・リストにおいて周波数間GSMセルが存在すればNGSM=1であり、そうでなければNGSM＝0であり；
TInterは、受信されるMBMS情報についての保証される復調パフォーマンスに基づいてFDD  UEによって決定される利用可能な周波数間測定時間から受信機変換時間を引いた時間を表す、
請求項２１記載の方法。
【請求項２４】
前記UEが、要求される前記報告時間を決定するのを、標的セルのブロードキャスト信号および／またはパイロット信号が存在するフレームまたはサブフレームの数に基づいて行い、該ブロードキャスト信号および／またはパイロット信号は受信されるMBMS情報のための復調パフォーマンスを保証できる測定時間から受信機変換時間を引いた時間内に受信されるものである、請求項１８記載の方法。
【請求項２５】
前記セルが周波数間／RAT間セルであり、前記測定時間は周波数間／RAT間測定時間である、請求項１２、１３、１４、１７、１９、２０、２１または２４のうちいずれか一項記載の方法。
【請求項２６】
前記セルが周波数内セルであり、前記測定時間は周波数内測定時間である、請求項１２、１３、１４、１７、１９、２０、２１または２４のうちいずれか一項記載の方法。
【請求項２７】
前記UEが、受信されるMBMS情報についての復調パフォーマンスを保証できる測定時間に基づいてRAT間GSMセルについての要求される測定パフォーマンスを決定する、請求項１０記載の方法。
【請求項２８】
前記UEがCELL_FACH状態においてMBMS  PTMトラフィックを受信するFDD  UEであり；前記UEが新たなRAT間GSMセルを識別するまたは識別されたRAT間GSMセルを測定する段階が：
式
SFN＝(C_RNTI  mod  M_REP＋n×M_REP)×N
を満たすSFNにおいて受信MBMS情報についての復調パフォーマンスを保証できる周波数間測定時間を決定することを含んでおり：
ここで、Nは、最大のTTIをもつFACHのTTIを10msで割って得られる値を表し、前記のFACHはFDD  UEがモニタリングする非MBMS論理チャネルを担うSCCPCH上にあり；
M_REP＝2kで、M_REPは測定期間のサイクルを表し；kはFACH測定期間サイクル係数を表し、システム情報11または12における情報要素「FACH測定機会情報」から取得されうるもので；
C_RNTIはFDD  UEのセル無線ネットワーク一時識別情報を表し；
n＝0,1,2,…であり、ただし、SFNはその最大値より小さく；
前記段階がさらに、
前記UEが、前記の決定された周波数間測定時間内に、RAT間GSMセルを測定して新たなRAT間GSMセルを識別するか、識別されたRAT間GSMセルを測定することを含む、
請求項２７記載の方法。
【請求項２９】
前記UEが、受信されるMBMS情報についての復調パフォーマンスを保証できる測定時間から受信機変換時間を引いた時間に基づいてRAT間GSMセルについての要求される測定パフォーマンスを決定する、請求項１０記載の方法。
【請求項３０】
前記UEがCELL_FACH状態においてMBMS  PTMトラフィックを受信するFDD  UEであり；前記UEが新たなRAT間GSMセルを識別するまたは識別されたRAT間GSMセルを測定する段階が：
式
SFN＝(C_RNTI  mod  M_REP＋n×M_REP)×N
を満たすSFNにおいて受信MBMS情報についての復調パフォーマンスを保証できる周波数間測定時間を決定することを含んでおり：
ここで、Nは、最大のTTIをもつFACHのTTIを10msで割って得られる値を表し、前記のFACHはFDD  UEがモニタリングする非MBMS論理チャネルを担うSCCPCH上にあり；
M_REP＝2kで、M_REPは測定期間のサイクルを表し；kはFACH測定期間サイクル係数を表し、システム情報11または12における情報要素「FACH測定機会情報」から取得されうるもので；
C_RNTIはFDD  UEのセル無線ネットワーク一時識別情報を表し；
n＝0,1,2,…であり、ただし、SFNはその最大値より小さく；
前記段階がさらに、
前記UEが、前記の決定された周波数間測定時間から受信機変換時間を引いた時間内に、RAT間GSMセルを測定して新たなRAT間GSMセルを識別するか、識別されたRAT間GSMセルを測定することを含む、
請求項２９記載の方法。
【請求項３１】
前記受信機変換時間が受信機のハードウェア機能に依存し；該受信機変換時間が1msに等しい、請求項１４、１５、１６、１７、２１、２２、２３、２４、２９、３０のうちいずれか一項記載の方法。
【請求項３２】
前記UEがFDD  UEおよびTDD  UEのうちの一つである、請求項１０記載の方法。
【請求項３３】
前記MBMS情報が：
MBMSポイント・ツー・ポイント（PTP）トラフィック情報；および／または
MBMS  PTP制御情報；および／または
MBMSポイント・ツー・マルチポイント（PTM）トラフィック情報；および／または
MBMS  PTM制御情報、
を含む、請求項１０記載の方法。
【請求項３４】
システムが要求する周波数間／RAT間測定時間からMBMSトラフィックを受信する第一の時間を予約する第一の時間予約ユニットと；
システムが要求する周波数間／RAT間測定時間から周波数間／RAT間測定のための第二の時間を予約する第二の時間予約ユニットと；
第一の時間予約ユニットによって予約された第一の時間の間にMBMSトラフィックを受信するMBMS受信ユニットと；
第二の時間予約ユニットによって予約された第二の時間の間に周波数間／RAT間測定を実行する測定ユニットとを有するユーザー装置。
【請求項３５】
MBMS情報を受信する過程において、受信されるMBMS情報のための復調パフォーマンスを保証するために要求される測定パフォーマンスを決定する、測定パフォーマンス決定ユニットを有する、ユーザー装置。
【請求項３６】
前記の要求される測定パフォーマンスが：
UEが新たなセルを識別するのに要求される時間；および／または
UEの物理層がセル測定結果を上の層に報告するのに要求される時間を含む、
請求項３５記載のユーザー装置。
【手続補正２】
【補正対象書類名】明細書
【補正対象項目名】全文
【補正方法】変更
【補正の内容】
【書類名】  明細書
【発明の名称】測定、要求される測定パフォーマンス判別およびサービスするセル選択の方法およびユーザー装置
【技術分野】
【０００１】
本発明は、第三世代（3G）移動通信システムにおけるユーザー装置（UE）のための周波数間／RAT間測定（inter-frequency/inter-RAT  measurement）技術に関する。特に、本発明は測定のための方法、要求される測定パフォーマンスを判別する方法およびサービスするセル（serving  cell）を選択する方法ならびにユーザー装置に関する。
【背景技術】
【０００２】
万国移動通信システム（UMTS）は広帯域符号分割多重アクセス（WCDMA）の無線インターフェース技術を採用する3G移動通信システムである。このシステムは第三世代パートナーシップ・プロジェクト（3GPP）という世界規模のWCDMAおよびグローバル移動通信システム（GSM）の標準化機関において進化している。
【０００３】
3GPP  UMTS規格によれば、UEは、無線資源制御（RRC:  radio  resource  control）接続が確立されているかどうかに依存して、アイドルとRRC接続という二つのモードのいずれかにあることができる。UMTS万国地上無線アクセス・ネットワーク（UTRAN:  UMTS  universal  terrestrial  radio  access  network）に接続を確立していないUEはアイドル・モードにある。アイドルUEは、非アクセス層（NAS:  non-access  stratum）識別子、たとえば国際携帯機器加入者識別情報（IMSI:  international  mobile  subscriber  identity）によってのみ識別できる。UTRANへのRRC接続を確立しているUEはRRC接続モードにある。RRC接続されたUEは、共通トランスポート・チャネル（CCH:  common  transport  channel）上でUEを識別する無線ネットワーク一時識別情報（RNTI:  radio  network  temporary  identity）を割り当てられる。
【０００４】
RRC接続されたUEは、RRC接続の層（stratum）および該UEに許容されるトランスポート・チャネル種別に依存して種々の状態をもちうる。CELL_PCH、CELL_FACHおよびCELL_DCH状態にあるUEは、セル層において区別できる。URA_PCH状態にあるUEはUTRANレジスタ領域（URA:  UTRAN  register  area）層において区別できる。CELL_DCH状態にあるUEは個別物理チャネル（dedicated  physical  channel）を割り当てられ、該個別チャネル、共有チャネルまたはそれらの組み合わせを使用できる。CELL_FACH状態にあるUEは下りリンク上の共通トランスポート・チャネル、つまり順行アクセスチャネル（FACH:  forward  access  channel）をモニタリングし、上りリンク上のデフォルトの共通チャネル、逆行アクセスチャネル（RACH:  reverse  access  channel）を割り当てられる。CELL_PCHおよびURA_PCH状態にあるUEは、関係するページ指標チャネル（PICH:  page  indicator  channel）を通じて不連続受信（DRX:  discontinuous  reception）を使うことによってページ・チャネル（PCH:  page  channel）をモニタリングする。これら二つの状態にあるUEは上りリンク上では非アクティブである。
【０００５】
3GPP  UMTS規格によれば、あるUEが異なるモードかつ異なる状態にあるとき、該UEは、セル再選択およびハンドオーバー処理のため、周波数間／RAT間セルを、受信されたシステム情報および該UEがいるセルでの受信品質に従って測定する。アイドル状態、CELL_PCH、URA_PCHまたはCELL_FACH状態にあるUEについては、周波数間／RAT間測定は、受信されたシステム情報および現在セルの受信品質によってトリガーされる。CELL_DCH状態にあるUEについては、周波数間／RAT間測定は、システムによって送られたシステム測定制御情報によってトリガーされる。通常、デュアル受信機を備えていないUEは二つの周波数での信号を受信し、かつ復号することはできない。よって、周波数間／RAT間測定の進行中、UEは現在セルにおける信号の受信を中断することになる。
【０００６】
移動ネットワーク資源の利用を容易にするため、3G移動通信システムはマルチキャストおよびブロードキャストの概念を導入する。マルチキャストとブロードキャストは、同じデータをデータソースから複数の宛先に送信する技術である。そのため、3GPPはマルチメディア・ブロードキャスト／マルチキャスト・サービス（MBMS）を提唱している。MBSMは、移動通信ネットワークにおいて同じデータをデータソースから複数ユーザーに送信するポイント・ツー・マルチポイントのサービスである。目的は、ネットワーク資源の共有を実現し、ネットワーク資源の利用、特に無線インターフェース資源の利用を改善することである。
【０００７】
MBMSデータはUEとUTRANとの間で、ポイント・ツー・ポイント（PTP）およびポイント・ツー・マルチポイント（PTM）の二つのモードで送信されうる。PTP送信はマルチキャストに適用可能である。このモードでは、RRC接続されたUEは個別制御チャネル（DCCH:  dedicated  control  channel）を通じて制御情報を受信し，個別トラフィックチャネル（DTCH:  dedicated  traffic  channel）を通じてデータ情報を受信する。PTM送信はブロードキャストまたはマルチキャストに適用可能である。このモードでは、UEはMBMSポイント・ツー・マルチポイント・トラフィック・チャネル（MTCH）を通じてデータ情報を受信し、MBMSポイント・ツー・マルチポイント制御チャネル（MCCH）を通じて制御情報を受信する。
【０００８】
UEは三つの種類のセルをモニタリングする：
アクティブ・セット・セル：UE情報はこれらのセルにおいて送信される；UEはセル・リストに含まれているアクティブ・セット・セルしか測定しない。
【０００９】
モニタ・セット・セル：アクティブ・セットに含まれるがセル・リストに含まれないセル。
【００１０】
検出セットセル：セル・リストにも含まれなければ、アクティブ・セットにも含まれないが、UEが検出できるセル。
【００１１】
3GPP  UMTS規格によれば、時分割二重（TDD）UEは1.28Mcps  TDD  UEおよび3.84Mcps  TDD  UEを含む。
【００１２】
CELL_FACH状態では、3.84Mcps  TDD  UEがほとんどのセルをモニタリングできる：
32の周波数内セル（当該UEに現在サービスしているセルを含む）；
32の周波数間セル。UEの機能によって、2つまでのTDDキャリアのTDDセルおよび3つまでのFDDキャリアの周波数分割二重（FDD）セルを含む；
UEの機能によって、32のGSM周波数に割り当てられた32のGSMセル。
【００１３】
CELL_FACH状態では、1.28Mcps  TDD  UEがほとんどのセルをモニタリングできる：
32の周波数内セル（当該UEに現在サービスしているセルを含む）；
32の周波数間セル。UEの機能によって、3つまでのTDDキャリアのTDDセルおよび3つまでのFDDキャリアの3つの周波数分割二重（FDD）セルを含む；
UEの機能によって、32のGSM周波数に割り当てられた32のGSMセル。
【００１４】
CELL_FACH状態にあるUEは、セル再選択および新たなセル識別のために、周波数間／RAT間測定を実行する必要がある。UEは、次の式を満たすシステム・フレーム番号（SFN:  system  frame  number）を位置特定し、位置特定された諸SFN中で周波数間／RAT間測定を実行する：
SFN  div  N＝C_RNTI  mod  M_REP＋n×M_REP      (1)
ここで：
Nは、最大の送信タイミング期間（TTI:  transmission  timing  interval）をもつ順行アクセス・チャネル（FACH）のTTIを10msで割って得られる値で、前記のFACHはUEによってモニタリングされる非MBMS論理チャネルを担う二次共通制御物理チャネル（SCCPCH:  secondary  common  control  physical  channel）上にある。これは、UEが周波数間／RAT間測定を実行する時間期間である。
【００１５】
M_REP＝2kで、M_REPは測定期間のサイクルを表す；Nフレームの測定時間についてのサイクルは、N×M_REPフレームである；kはFACH測定期間サイクル係数を表し、システム情報11または12における情報要素「FACH測定機会情報」から取得されうる。
【００１６】
C_RNTI（セル無線ネットワーク一時識別情報）はUEのC-RNTI値を表す。
【００１７】
n＝0,1,2,…  ただし、SFNはその最大値未満とする。
【００１８】
UEは、上式(1)を満たす測定時間内に、識別された周波数間／RAT間セルを連続的に測定する。その間、UEは、UTRANによって送られるシステム測定制御情報において指示される新たな周波数間／RAT間セルを探す。
【００１９】
従来規格では、MBMS  PTMトラフィックを受信するFDD  UEは、下記の手順によって新たな周波数間セルを識別する：
UEが、存在している未識別の周波数間セルを検出するために、システム測定制御情報をUTRANから受信し、該測定制御情報において指示されている周波数間セル情報を取得する。
【００２０】
UEが未識別の周波数間セルを検出する（UEは、システム測定制御情報で指示された新たな周波数間セルの周波数で動作し、この周波数で受信信号が十分強いと見出す場合に周波数間セルが検出されていると考える）。
【００２１】
UEは、次の公式で計算される識別時間（Tidentify,inter）内に、検出された周波数間セルを識別する：
【００２２】
【数５】
2008533883.tif 000045
ここで：
Tbasic_identify_FDD,inter＝300msまたは800ms；これはUEが新たな周波数間セルを識別する最大継続時間を表す；
NFreq,FDDは、システム測定制御情報における周波数間セル・リストに含まれるFDD周波数の数を表す；
Tmeas＝［(NFDD＋NTDD＋NGSM)・NTTI・M_REP・10］      (3)
ここで：
NTTIは式(1)におけるNに等しく、M_REPは式(1)と同じである；
NFDDは0または1に等しい：近隣セル・リストにおいてFDD周波数間セルが存在すればNFDD=1であり、そうでなければNFDD＝0である；
NTDDは0または1に等しい：近隣セル・リストにおいてTDD周波数間セルが存在すればNTDD=1であり、そうでなければNTDD＝0である；
NGSMは0または1に等しい：近隣セル・リストにおいてGSM周波数間セルが存在すればNGSM=1であり、そうでなければNGSM＝0である；
TInterFACH＝(NTTI×10−2×0.5)ms、ここでNTTIは式(1)におけるNに等しい。
【００２３】
UEは、新たに識別された周波数間セルを、自分が記憶しているセル・リストにおいて、識別された周波数間セルとしてマークする。
【００２４】
MBMS  PTMトラフィックを受信するFDD  UEは、下記の手順によって、共通パイロット・チャネル（CPICH:  common  pilot  channel）を測定する：
UEが、UTRANからシステム測定制御情報またはシステム・ブロードキャスト情報を受信し、周波数間CPICH測定をトリガーする。
【００２５】
UEの物理層が、次の公式から得られる測定時間（TMeasurement  inter）内に、測定結果を上の層に報告する。
【００２６】
【数６】
2008533883.tif 000046
ここで：
Tbasic_measurement_FDD,inter＝50ms；
TMeasurement_Period,Inter＝480ms；
その他のパラメータは式(2)および(3)と同じである。
【００２７】
UEの上の層は、物理層によって報告された測定結果を内部アルゴリズムにかける（たとえば、該測定結果は、セル再選択アルゴリズムの入力パラメータであることができる）か、あるいは測定結果を無線ネットワーク・コントローラ（RNC:  radio  network  controller）に報告する。
【００２８】
しかしながら、実際上、MBMS  PTMトラフィックを受信するFDD  UEが新たな周波数間セルを識別し、該セルに対するCPICH測定を実行するとき、該UEは式(1)から得られる周波数間測定時間全体を周波数間測定を行うために使えないことがありうる。その代わり、該UEは、該測定を行うために前記周波数間測定時間の一部しか使わないことがありうる。だが、新たな周波数間セルを識別するための時間（Tidentify,inter）を得るために使われる式(2)およびUEの物理層が測定結果を報告するための測定時間（TMeasurement  inter）を得るために適用される式(4)において、パラメータTInterFACH＝（NTII×10−2×0.5）msは、UEは式(1)に基づいて計算された周波数間測定時間全体を、周波数間測定を行うために使うということを意味する。そこで、次の問題が生じる。
【００２９】
UEが式(2)から得られるTidentify,inter内に新たな周波数間セルを識別し、該新たな周波数間セルのCPICH測定結果を式(2)から得られるTMeasurement  inter内に上の層に報告する場合、UEは式(1)に基づいて計算される周波数間測定時間全体を周波数間測定を実行するために使う必要がある。これは、受信されるMBMSトラフィックについて、UEの復調パフォーマンスを劣化させることがありうる。
【００３０】
UEが、式(1)に基づいて計算される周波数間測定を実行するための周波数間測定時間の一部を、MBMS復調パフォーマンスを保証するために使う場合、UEは式(2)から得られるTidentify,inter内に新たな周波数間セルを識別できないことがありえ、式(4)から得られるTMeasurement  inter内に新たな周波数間セルのCPICH測定結果を上の層に報告できないことがありうる。
【００３１】
上記の手順は、CELL_FACH状態においてMBMS  PTMトラフィックを受信するFDD  UEが、RAT間WCDMA  TDDセルを識別し、該RAT間WCMDA  TDDセルにおいて一次共通制御物理チャネル（PCCPCH:  primary  common  control  physical  channel）の受信された信号コード電力（RSCP:  received  signal  code  power）測定結果を報告することについても同じ技術的欠点を有している。
【００３２】
従来規格では、MBMS  PTMトラフィックを受信するFDD  UEが、モニタ・セット中で検出された新たなRAT間WCDMA  TDDセルを識別するとき、RAT間SCDMA  TDDセルが、次の公式に基づいて計算される識別時間（Tidentify,TDD）内に識別されることが要求されている：
【００３３】
【数７】
2008533883.tif 000047
ここで：
Tbasic_identify_TDD,inter＝300msまたは800ms；
NFreq,TDDはシステム測定制御情報における周波数間セル・リストに含まれるTDD周波数の数を表す；
その他のパラメータは式(2)および(3)と同じである。
【００３４】
UEの物理層は、RAT間WCDMA  TDDセルのPCCPCH RSCP測定結果を、次式に基づいて計算される測定時間（TMeasurement,TDD）内に上の層に報告すべきことも要求される：
【００３５】
【数８】
2008533883.tif 000048
ここで：
Tbasic_measurement_TDD,inter＝50ms；
TMeasurement_Period_TDD,inter＝480ms；
その他のパラメータは式(2)および(3)と同じである。
【００３６】
すると、次の問題が生じる。
【００３７】
UEが式(5)から得られるTidentify,TDD内に新たなRAT間WCDMA  TDDセルを識別し、該新たなRAT間WCDMA  TDDセルのPCCPCH  RSCP測定結果を式(6)から得られるTMeasurement,TDD内に上の層に報告する場合、UEは式(1)に基づいて計算されるRAT間測定時間全体をRAT間測定を実行するために使う必要がある。これは、受信されるMBMSトラフィックについて、UEの復調パフォーマンスを劣化させることがありうる。
【００３８】
UEが、式(1)に基づいて計算されるRAT間測定を実行するためのRAT間測定時間の一部を、MBMS復調パフォーマンスを保証するために使う場合、UEは式(5)から得られるTidentify,TDD内に新たなRAT間WCDMA  TDDセルを識別できないことがありえ、式(6)から得られるTMeasurement,TDD内に新たなRAT間WCDMA  TDDセルのPCCPCH  RSCP測定結果を上の層に報告できないことがありうる。
【００３９】
TDD  UEはFDD周波数間セル、TDD周波数間セルおよびGSMセルを次式を満たす間隔Tmeasで測定する：
Tmeas＝［(NFDD＋NTDD＋NGSM)・NTTI・M_REP・10］      (7)
ここで、すべてのパラメータは式(3)と同じである。
【００４０】
TDD  UEは、周波数間／RAT間測定期間内に識別された周波数間セルを連続的に測定し、UTRANによって送られるシステム測定制御情報において指示される新たな周波数間／RAT間セルを探す。
従来規格では、MBMS  PTMトラフィックを受信するTDD  UEは、下記の手順によって周波数間／RAT間セルを測定する：
TDD  UEが、システム測定制御情報をUTRANから受信し、該測定制御情報において指示されている周波数間／RAT間セルに対する周波数間／RAT間測定をトリガーする。
【００４１】
TDD  UDが、式(1)から計算される測定時間またはアイドル時間内に、周波数間／RAT間セルを測定する（TDDモードは１フレーム中の上りリンクと下りリンクの時間スロットを区別するが、TDD  UEがトラフィックを受信も送信もしない時間スロットがTDD  UEのアイドル時間である）。周波数間／RAT間測定の時間の間、TDD  UEはMBMS  PTMトラフィックの受信を中断する。
【００４２】
TDD  UEは、周波数間／RAT間測定がアクティブでない他の時間にMBMS  PTMトラフィックを受信する。
【００４３】
しかしながら、実際上、MBMS  PTMトラフィックを受信するTDD  UEは周波数間／RAT間測定の間、MBMS  PTMトラフィックの受信を中断し、一方でたいていの場合、各TDD  UEは種々の時点にMBMS  PTMトラフィックの受信を中断するので、ネットワークにとって、TDD  UEによって受信されなかったどのMBMS  PTMデータを再送信すべきか決定するのが困難である。結果として、MBMS  PTM受信の品質はTDD  UEについては貧弱になる。
従来規格では、MBMS  PTMトラフィックを受信するTDD  UEは、下記の手順によって新たな周波数間セルを識別する：
TDD  UEが、存在している未識別の周波数間セルを検出するために、システム測定制御情報をUTRANから受信し、該測定制御情報において指示されている周波数間セル情報を取得する。
【００４４】
TDD  UEが未識別の周波数間セルを検出する（UEは、システム測定制御情報で指示された新たな周波数間セルの周波数で動作し、この周波数で受信信号が十分強いと見出す場合に周波数間セルが検出されていると考える）。
【００４５】
TDD  UEは、次の公式で計算される識別時間（Tidentify,inter）内に、検出された周波数間セルを識別する。
【００４６】
3.84Mcps  TDD  UEについて、モニタ・セットにおいて新たな周波数間TDDセルを識別するために、要求されるTidentify,interは次式を満たす：
【００４７】
【数９】
2008533883.tif 000049
ここで：
Tbasic_identify_TDD,inter＝300msまたは800ms；これはUEが新たなTDDセルを識別するための最大許容時間を表す；
NFreq,TDDは、UTRANからのシステム測定制御情報において指示される周波数間セル・リストに含まれるTDD周波数の数を表す；
他のパラメータは式(2)および(3)と同じである。
【００４８】
1.28Mcps  TDD  UEについて、モニタ・セットにおいて新たな周波数間TDDセルを識別するために、要求されるTidentify,interは次式を満たす：
【００４９】
【数１０】
2008533883.tif 000050
ここで：
TMeasurement_Period,Inter＝480ms；
NInterFACHは、標的周波数間TDDセルのPCCPCHおよびDwPCH信号が存在しているサブフレームの数を表し、該PCCPCHおよびDwPCH信号は測定期間（TMeasurement_Period,Inter）内に受信されることができる。この値は、チャネル割り当ておよびCELL_FACH状態における測定時間（アイドル時間および式(1)から計算される測定時間を含む）に基づいて得られ、2×0.1msのマージンを見込む。式(1)から計算される測定時間内に、UEは、アイドル時間において測定できない周波数間セルを測定する。
【００５０】
Nbasic_identify_TDD,Inter＝160；これはTbasic_identify_TDD,inter内に受信されたサブフレームの数を表す。
【００５１】
NFreqは、UTRANからのシステム測定制御情報において指示される周波数間セル・リストに含まれるTDD周波数の数を表す。
【００５２】
TDD  UEは、新たに識別された周波数間セルを、自分が記憶しているセル・リストにおいて、識別された周波数間セルとしてマークする。
【００５３】
MBMS  PTMトラフィックを受信するTDD  UEは、下記の手順によって新たな周波数間セルの一次共通制御物理チャネル（PCCPCH）を測定する：
TDD  UEが、システム測定制御情報またはシステム・ブロードキャスト情報をUTRANから受信し、周波数間セルに対するPCCPCH測定をトリガーする。
【００５４】
TDD  UEの物理層が、次の公式から得られる測定時間（TMeasurement  inter）内に、測定結果を上の層に報告する。
【００５５】
3.84Mcps  TDD  UEについて、要求されるTMeasurement,Interは次式を満たす：
【００５６】
【数１１】
2008533883.tif 000051
ここで：
Tbasic  measurement  TDD  inter＝50ms；
TMeasurement  Period  TDD  Inter＝480ms；
他のパラメータは式(2)および(3)と同じである。
【００５７】
1.28Mcps  TDD  UEについて、要求されるTMeasurement  interは次式を満たす：
【００５８】
【数１２】
2008533883.tif 000052
ここで：
Tbasic  measurement  TDD,inter＝50ms；
他のパラメータは式(9)と同じである。
【００５９】
TDD  UEの上の層は、物理層によって報告された測定結果を内部アルゴリズムにかける（たとえば、該測定結果は、セル再選択アルゴリズムの入力パラメータであることができる）か、あるいは測定結果を無線ネットワーク・コントローラ（RNC:  radio  network  controller）に報告する。
【００６０】
しかしながら、実際上、MBMS  PTMトラフィックを受信するTDD  UEが新たな周波数間セルを識別し、該セルに対するPCCPCH測定を実行するとき、該UEは式(1)から得られる周波数間測定時間全体を周波数間測定を行うために使えないことがありうる。その代わり、該UEは、該測定を行うために前記周波数間測定時間の一部しか使わないことがありうる。だが、新たな周波数間セルを識別するための時間（Tidentify,inter）を得るために使われる式(8)および(9)ならびにTDD  UEの物理層が測定結果を報告するための測定時間（TMeasurement  inter）を得るために適用される式(10)および(11)において、パラメータTInterFACH＝（NTII×10−2×0.5）msは、UEは周波数間測定時間全体を、周波数間測定を行うために使うということを意味する。そこで、次の問題が生じる。
【００６１】
TDD  UEが式(8)および(9)から得られるTidentify  inter内に新たな周波数間セルを識別し、該新たな周波数間セルのPCCPCH測定結果を式(10)および(11)から得られるTMeasurement  inter内に上の層に報告する場合、UEはアイドル時間全体および／または式(1)に基づいて計算される周波数間測定時間全体を周波数間測定を実行するために使う必要がある。これは、受信されるMBMSトラフィックについて、UEの復調パフォーマンスを劣化させることがありうる。
【００６２】
TDD  UEが、アイドル時間および／または式(1)に基づいて計算される周波数間測定を実行するための周波数間測定時間の一部を、MBMS復調パフォーマンスを保証するために使う場合、UEは式(8)および(9)から得られるTidentify  inter内に新たな周波数間セルを識別できないことがありえ、式(10)および(11)から得られるTMeasurement  inter内に新たな周波数間セルのPCCPCH測定結果を上の層に報告できないことがありうる。
【００６３】
上記の手順は、MBMS  PTMトラフィックを受信するTDD  UEが、RAT間WCDMA  TDDセルを識別し、該RAT間WCMDA  TDDセルの共通パイロット・チャネル（CPICH:  common  pilot  channel）測定結果を報告することについて同じ技術的欠点を有している。
従来規格では、MBMS  PTMトラフィックを受信するTDD  UEは、次の公式から得られるTidentify,FDD  inter内にモニタ・セット中でRAT間WCDMA  FDDセルを識別することが要求されている。
【００６４】
3.84Mcps  TDD  UEについて、要求されるTidentify  FDD  interは次式を満たす：
【００６５】
【数１３】
2008533883.tif 000053
ここで：
Tbasic_identify_FDD,inter＝300msまたは800ms；これはTDD  UEが新たなWCDMA  FDDセルを識別するための最大許容時間である；
NFreq,FDDは、UTRANからのシステム測定制御情報において指示される周波数間セル・リストに含まれるFDD周波数の数を表す；
TInterFACH＝（NTTI×10−2×0.5）ms
他のパラメータは式(2)および(3)と同じである。
【００６６】
1.28Mcps  TDD  UEについて、要求されるTidentify_FDD  interは次式を満たす：
【００６７】
【数１４】
2008533883.tif 000054
ここで：
TMeasurement_Period  FDD  inter＝480ms；
Tinter,FACHは、TMeasurement_Period_FDD,inter内でFDD測定のための最小時間を表す。この値は、チャネル割り当ておよびCELL_FACH状態における測定時間（アイドル時間および式(1)から計算される測定時間を含む）に基づいて得られ、2×0.1msのマージンを見込む。測定は、アイドル時間内に測定窓内で許容されるとする。すると、式(1)から得られる測定時間内に、UEは、アイドル時間において測定できない周波数間セルを測定する。
【００６８】
Tbasic  identify  FDD  inter＝800ms；これはTDD  UEが新たなFDDセルを識別するための最大許容時間を表す；
NFreqは、UTRANからのシステム測定制御情報において指示される周波数間セル・リストに含まれるFDD周波数の数を表す。
【００６９】
従来規格では、MBMS  PTMトラフィックを受信するTDD  UEは、次の公式から得られるTMeasurement  FDD  inter内にCPICH測定結果を上の層に報告する。
【００７０】
3.84Mcps  TDD  UEについて、要求されるTMeasurement  FDD  interは次式を満たす：
【００７１】
【数１５】
2008533883.tif 000055
ここで：
Tbasic_measurement_FDD  inter＝50ms；
TMeasurement_Period  FDD  Inter＝480ms；
TInterFACH＝（NTII×10−2×0.5）ms；
他のパラメータは式(2)および(3)と同じである。
【００７２】
1.28Mcps  TDD  UEについて、要求されるTMeasurement_FDD  interは次式を満たす：
【００７３】
【数１６】
2008533883.tif 000056
ここで：
Tbasic_measurement_FDD  inter＝50msで、他のパラメータは式(14)と同じである。
【００７４】
これも以下の問題がある。
【００７５】
TDD  UEが新たなRAT間WCDMA  TDDセルを式(12)および(13)から得られたTidentify  FDD  inter内に識別し、該新たなRAT間WCDMA  TDDセルのCPICH測定結果を式(14)および(15)から得られるTMeasurement  FDD  inter内に上の層に報告する場合、UEはアイドル時間全体または式(1)に基づいて計算されるRAT間測定時間全体をRAT間測定を実行するために使う必要がある。これは、受信されるMBMSトラフィックについて、UEの復調パフォーマンスを劣化させることがありうる。
【００７６】
TDD  UEが、式(1)に基づいて計算されるRAT間測定を実行するためのRAT間測定時間の一部を、MBMS復調パフォーマンスを保証するために使う場合、UEは式(12)および(13)から得られるTidentify  FDD  inter内に新たなRAT間WCDMA  TDDセルを識別できないことがありえ、式(14)および(15)から得られるTMeasurement  FDD  inter内に新たなRAT間WCDMA  TDDセルのCPICH測定結果を上の層に報告できないことがありうる。
【００７７】
TDD  UEが周波数間TDDセルまたはRAT間WCDMA  FDDセルを測定および識別し、測定結果を報告するときに存在する上記の技術的欠点は、TDD  UEがGSMセルを測定および識別し、測定結果を報告するときにも生じる。
【発明の開示】
周波数間／RAT間測定のための方法が、以下のステップを含む：
マルチメディア・ブロードキャスト／マルチキャスト・サービス（MBMS）トラフィック受信のための第一の時間を予約する段階と；
周波数間／RAT間測定のための第二の時間を予約する段階と、ここで、前記第一の時間および前記第二の時間はシステムが要求する周波数間／RAT間測定時間のうちからユーザー装置（UE）によって予約されるものであり；
予約された第一の時間においてMBMSトラフィックを受信し；
第二の時間において周波数間／RAT間測定を実行する。
【課題を解決するための手段】
【００７８】
周波数間／RAT間測定のための方法が、以下のステップを含む：
マルチメディア・ブロードキャスト／マルチキャスト・サービス（MBMS）トラフィック受信のための第一の時間を予約する段階と；
周波数間／RAT間測定のための第二の時間を予約する段階と、ここで、前記第一の時間および前記第二の時間はシステムが要求する周波数間／RAT間測定時間のうちからユーザー装置（UE）によって予約されるものであり；
予約された第一の時間においてMBMSトラフィックを受信し；
第二の時間において周波数間／RAT間測定を実行する。
【発明を実施するための最良の形態】
【００７９】
本発明の実施形態は、MBMS  PTMトラフィックを受信するTDD  UEが、周波数間／RAT間測定の進行のためにMBMS  PTMトラフィック受信の品質を犠牲にするという対立を解消するための周波数間／RAT間測定のための方法を開示する。該実施形態は、MBMS情報を受信するUEが周波数間／RAT間セルを測定するときに受信されるMBMS情報のための復調パフォーマンスを保証するという発想に基づいている。本方法はこうして、MBMS  PTMトラフィックを受信するTDD  UEが、MBMS  PTMトラフィックのための復調パフォーマンスを保証しつつ、周波数／システム間測定を実行することを可能にする。
本発明のある実施形態に基づく周波数間／RAT間測定の方法の採用により、MBMS  PTMトラフィックを受信するTDD  UEは次のようにして周波数／システム間測定を実行しうる：
TDD  UEがUTRANからシステム測定制御情報を受信し、しかるべく周波数間／RAT間セルの測定をトリガーする。
【００８０】
TDD  UEが、アイドル時間および／または従来技術による式(1)から得られる測定時間から周波数間／RAT間測定時間の一部を第一の予約時間として選択し、MBMS  PTMトラフィックのための保証された復調パフォーマンスに基づいて、残り測定時間から周波数間／RAT間測定時間の一部を第二の予約時間として選択する。
【００８１】
TDD  UEは、受信されるMBMS  PTMトラフィックのための復調パフォーマンスを保証するよう、第二の予約時間において周波数間／RAT間測定を実行し、第一の予約時間においてMBMS  PTMトラフィックを受信する
本発明のある実施形態に基づくMBMSトラフィック受信に基づく周波数間／RAT間測定の方法の採用により、MCCH情報またはMCCH情報とMBMS  PTMトラフィックの両方を受信するFDD  UEは次のようにして周波数間／RAT間測定を実行しうる：
FDD  UEがUTRANからシステム測定制御情報を受信し、しかるべく周波数間／RAT間セルの測定をトリガーする。
【００８２】
FDD  UEが、従来技術による式(1)から得られる測定時間から周波数間／RAT間測定時間の一部を第一の予約時間として選択し、MCCH情報またはMCCH情報とMBMS  PTMトラフィックの両方のための保証された復調パフォーマンスに基づいて、残り測定時間から周波数間／RAT間測定時間の一部を第二の予約時間として選択する。
【００８３】
FDD  UEは、受信されるMCCH情報またはMCCH情報とMBMS  PTMトラフィックの両方のための復調パフォーマンスを保証するよう、第二の予約時間において周波数間／RAT間測定を実行し、第一の予約時間においてMCCH情報またはMCCH情報とMBMS  PTMトラフィックの両方を受信する。
【００８４】
本発明のもう一つの実施形態によれば、周波数間／RAT間測定のための方法は、MBMS  PTM制御情報（特にMCCH情報）を受信するTDD  UEにも適用できる。それによりTDD  UEは、受信されるMCCHトラフィックのための保証された復調パフォーマンスに基づいて周波数間／RAT間測定を実行する。この手順は、MBMS  PTMトラフィックを受信するための上記の手順と同様である。
【００８５】
周波数間／RAT間測定のための上記の方法によれば、UEは第二の予約時間において周波数間／RAT間測定を実行し、さらにその測定結果に基づき、UEはよりよい品質のセルを、標的のサービスするセルとして選択する。
【００８６】
周波数間／RAT間測定のための前記方法に基づき、本発明の実施形態はさらに、保証されるMBMS復調パフォーマンスに基づいて得られる（周波数間／RAT間または周波数内）測定時間に従って、UEのための要求される測定パフォーマンスを決定する方法を提供する。該実施形態は、MBMS  PTMトラフィックを受信するUEが、新たな（周波数間／RAT間または周波数内）セルを識別するか、新たな（周波数間／RAT間または周波数内）セルの測定結果を報告するために要求される時間を決定するために（周波数間／RAT間または周波数内）測定時間全体を使う必要があるのに、MBMS復調パフォーマンスを保証する目的の（周波数間／RAT間または周波数内）測定を行うために、（周波数間／RAT間または周波数内）測定時間の一部しか使わないという対立を解消する。
【００８７】
本発明のある実施形態によれば、要求される測定パフォーマンスを決定する方法が要求される測定パフォーマンスを決定するのは、MBMS情報（たとえばMBMS  PTMトラフィック）を受信するUE（たとえばTDD  UEまたはFDD  UE）についてMBMS情報（たとえばMBMS  PTMトラフィック）のための復調パフォーマンスを考慮に入れることによって行われる。こうして、UEは、測定パフォーマンスによって要求される時間内に新たなセルを識別し、あるいは測定結果を報告することができる。
【００８８】
FDD  UEについては、本発明のある実施形態に基づく要求される測定パフォーマンスを決定する方法の採用は、次の目的を達成しうる：
CELL_FACH状態にあるMBMS  PTMトラフィックを受信するFDD  UEが新たな周波数間／RAT間セルを識別するためには、この方法は、UEが新たな周波数間／RAT間セルを識別するための時間を決定するときに、受信されるMBMSトラフィックのための復調パフォーマンスを考慮に入れ、それにより受信されるMBMSトラフィックのための復調パフォーマンスを保証する。
【００８９】
CELL_FACH状態にあるMBMS  PTMトラフィックを受信するFDD  UEの物理層が新たな周波数間／RAT間セルの測定結果を上の層に報告するためには、この方法も、UEが測定結果を報告するための測定期間を決定するときに、受信されるMBMSトラフィックのための復調パフォーマンスを考慮に入れ、それにより受信されるMBMSトラフィックのための復調パフォーマンスを保証する。
【００９０】
図１は、FDD  UEが、本発明のある実施形態に基づく要求される測定パフォーマンスを決定するための方法を採用して周波数間セルを識別する手順を示している。CELL_FACH状態にあるMBMS  PTMトラフィック（またはMCCH情報）を受信するFDD  UEが新たな周波数間セルを識別する手順は次のとおり：
ステップ１０：FDD  UEがUTRANからシステム測定制御情報を受信し、該測定制御情報内で指示される周波数間セル情報を取得して未識別の周波数間セルが存在していることを見出す。
【００９１】
ステップ１１：FDD  UEが未識別の周波数間セルを検出する。
【００９２】
ステップ１２：FDD  UEが、次の式を満たすSFNにおいて周波数間測定を実行して、ステップ１１で検出された未識別の周波数間セルを識別する：
SFN＝(C_RNTI  mod  M_REP＋n×M_REP)×N
上式で、Nは、最大の送信タイミング期間（TTI:  transmission  timing  interval）をもつ順行アクセス・チャネル（FACH）のTTIを10msで割って得られる結果を表し、前記のFACHはFDD  UEがモニタリングする非MBMS論理チャネルを担う二次共通制御物理チャネル（SCCPCH:  secondary  common  control  physical  channel）上にあり；
M_REP＝2kで、M_REPは測定期間のサイクルを表し；kはFACH測定期間サイクル係数を表し、システム情報11または12における情報要素「FACH測定機会情報」から取得されうるもので；
C_RNTIはUEのセル無線ネットワーク一時識別情報を表し；
n＝0,1,2,…であり、ただし、SFNはその最大値より小さいという条件がある。
【００９３】
ステップ１３：FDD  UEは、次の公式から得られる識別時間内に、ステップ１１で検出された未識別の周波数間セルを識別する：
【００９４】
【数１７】
2008533883.tif 000057
ここで：
Tidentify,interが、FDD  UEが新たな周波数間セルを識別する時間を表し；
Tbasic_identify_FDD,inter＝300msまたは800ms；これはFDD  UEが新たな周波数間セルを識別するための最大許容時間を表す；
NFreq,FDDは、UTRANからのシステム測定制御情報における周波数間セル・リストに含まれるFDD周波数の数を表す；
Tmeas＝［(NFDD＋NTDD＋NGSM)・NTTI・M_REP・10］
ここで：
NTTIはステップ１２におけるNに等しく、M_REPはステップ１２と同じである；
NFDDは0または1に等しい：近隣セル・リストにおいて周波数間FDDセルが存在すればNFDD=1であり、そうでなければNFDD＝0である；
NTDDは0または1に等しい：近隣セル・リストにおいて周波数間TDDセルが存在すればNTDD=1であり、そうでなければNTDD＝0である；
NGSMは0または1に等しい：近隣セル・リストにおいて周波数間GSMセルが存在すればNGSM=1であり、そうでなければNGSM＝0である；
TInterは、保証されるMBMS復調パフォーマンスに基づいてFDD  UEによって決定される利用可能な周波数間測定時間、あるいは保証されるMBMS復調パフォーマンスに基づいてFDD  UEによって決定される利用可能な周波数間測定時間から受信機変換時間を引いたものを表し；
前記受信機変換時間は、受信機のハードウェアに依存し；現在のところ通例2×0.5ms＝1msに等しい。
【００９５】
ステップ１４：FDD  UEが、ステップ１３で識別された周波数間セルを、自分が記憶しているセル・リストにおいて、識別されたセルとしてマークする。
【００９６】
図２は、FDD  UEが、本発明のある実施形態に基づく要求される測定パフォーマンスを決定するための方法を採用して周波数間セルのCPICH測定結果を上の層に報告する手順を示している。CELL_FACH状態にあるMBMS  PTMトラフィックを受信するFDD  UEが周波数間セルのCPICHを測定して該CPICH測定結果を報告する手順は次のとおり：
ステップ２０：FDD  UEがUTRANからシステム測定制御情報またはシステム・ブロードキャスト情報を受信し、周波数間セルについてのCPICH測定をトリガーする。
【００９７】
ステップ２１：FDD  UEが、次の式を満たすSFNにおいて周波数間セルに対するCPICH測定を実行する。
【００９８】
SFN＝(C_RNTI  mod  M_REP＋n×M_REP)×N    (17)
式中のパラメータは前記と同じである。
【００９９】
ステップ２２：FDD  UEの物理層が次の公式から得られる測定時間内に、CPICH測定結果を上の層に報告する。
【０１００】
【数１８】
2008533883.tif 000058
ここで：
Tmeasurement  interが、FDD  UEの物理層が周波数間セルのCPICH測定結果を報告する測定時間を示しており；
Tbasic_measurement_FDD,inter＝50ms；
TMeasurement_Period,Inter＝480ms；
TInterは、保証されるMBMS復調パフォーマンスに基づいてFDD  UEによって決定される利用可能な測定時間、あるいは保証されるMBMS復調パフォーマンスに基づいてFDD  UEによって決定される利用可能な測定時間から受信機変換時間を引いたものを表し；該変換時間は受信機のハードウェア機能に依存し、通例1msに等しい；
その他のパラメータについては、以前の説明を参照。
【０１０１】
ステップ２３：FDD  UEの上の層は、物理層によって報告されたCPICH測定結果を内部アルゴリズムにかけるか、あるいはその結果をRNCに報告する。
【０１０２】
図３は、FDD  UEが、本発明のある実施形態に基づく要求される測定パフォーマンスを決定するための方法を採用してRAT間WCDMA  TDDセルを識別する手順を示している。CELL_FACH状態にあるMBMS  PTMトラフィックを受信するFDD  UEが新たなRAT間WCDMA  TDDセルを識別する手順は次のとおり：
ステップ３０：FDD  UEがUTRANからシステム測定制御情報を受信し、該測定制御情報内で指示される周波数間セル情報を取得して未識別のRAT間WCDMA  TDDセルが存在していることを見出す。
【０１０３】
ステップ３１：FDD  UEが未識別のRAT間WCDMA  TDDセルを検出する。
【０１０４】
ステップ３２：FDD  UEが、次の式を満たすSFNにおいてRAT間測定を実行して、ステップ３１で検出された未識別のRAT間WCDMA  TDDセルを識別する：
SFN＝(C_RNTI  mod  M_REP＋n×M_REP)×N
上式中のパラメータについては、以前の記述を参照。
【０１０５】
ステップ３３：FDD  UEは、次の公式から得られる識別時間内に、未識別のRAT間WCDMA  TDDセルを識別する：
【０１０６】
【数１９】
2008533883.tif 000059
ここで：
Tidentify,TDDが、FDD  UEがRAT間WCDMA  TDDセルを識別する時間を表し；
Tbasic_identify_TDD,inter＝300msまたは800ms；これはFDD  UEがRAT間WCDMA  TDDセルを識別するための最大許容時間を表し；
NFreq,TDDはUTRANからのシステム測定制御情報における周波数間セル・リストに含まれるTDD周波数の数を表す；
TInterは、保証されるMBMS復調パフォーマンスに基づいてFDDによって決定される利用可能なRAT間測定時間、あるいは保証されるMBMS復調パフォーマンスに基づいてFDDによって決定される利用可能なRAT間測定時間から受信機変換時間を引いたものを表し；該変換時間は、受信機のハードウェア機能に依存し、通例1msに等しい；
その他のパラメータについては以前の記述を参照。
【０１０７】
ステップ３４：FDD  UEが、ステップ３３で新たに識別されたRAT間WCDMA  TDDセルを、自分が記憶しているセル・リストにおいて、識別されたセルとしてマークする。
【０１０８】
図４は、FDD  UEが、本発明のある実施形態に基づく要求される測定パフォーマンスを決定するための方法を採用してRAT間WCDMA  TDDセルのPCCPCH  RSCP測定結果を上の層に報告する手順を示している。CELL_FACH状態にあるMBMS  PTMトラフィックを受信するFDD  UEがRAT間WCDMA  TDDセルのPCCPCH  RSCPを測定して該PCCPCH  RSCP測定結果を報告する手順は次のとおり：
ステップ４０：FDD  UEがUTRANからシステム測定制御情報を受信し、RAT間WCDMA  TDDセルについてのPCCPCH  RSCP測定をトリガーする。
【０１０９】
ステップ４１：FDD  UEが、次の式を満たすSFNにおいてRAT間WCDMA  TDDセルに対するPCCPCH  RSCPを測定する：
SFN＝(C_RNTI  mod  M_REP＋n×M_REP)×N
式中のパラメータについては以前の記録を参照。
【０１１０】
ステップ４２：FDD  UEの物理層が次の公式から得られる測定時間内に、PCCPCH  RSCP測定結果を上の層に報告する。
【０１１１】
【数２０】
2008533883.tif 000060
ここで：
Tbasic_measurement_TDD,inter＝50ms；
TMeasurement_Period_TDD,inter＝480ms；
NFreq,TDDはUTRANからのシステム測定制御情報における周波数間セル・リストに含まれるTDD周波数の数を表す；
TInterは、保証されるMBMS復調パフォーマンスに基づいてFDD  UEによって決定される利用可能なRAT間測定時間、あるいは保証されるMBMS復調パフォーマンスに基づいてFDD  UEによって決定される利用可能なRAT間測定時間から受信機変換時間を引いたものを表し；該変換時間は、受信機のハードウェア機能に依存し、通例1msに等しい；
ステップ４３：FDD  UEの上の層が、物理層によって報告されたPCCPCH  RSCP測定結果を内部アルゴリズムにかけ、あるいはその結果をRNCに報告する。
【０１１２】
図５は、FDD  UEが、本発明のある実施形態に基づく要求される測定パフォーマンスを決定するための方法を採用してRAT間GSMセルを識別する手順を示している。CELL_FACH状態にあるMBMS  PTMトラフィックを受信するFDD  UEが新たなRAT間GSMセルを識別し、あるいは識別されたRAT間GSMセルを測定する手順は次のとおり：
ステップ５０：FDD  UEがUTRANからシステム測定制御情報を受信し、該測定制御情報内で指示されるRAT間セル情報を取得して未識別のRAT間GSMセルが存在しており、識別されたRAT間GSMセルを測定する必要があることを見出す。
【０１１３】
ステップ５１：FDD  UEが未識別のRAT間GSMセルを検出する、あるいは識別されたRAT間GSMセルを測定する。
【０１１４】
ステップ５２：FDD  UEが、下記の式を満たすSFNにおいてRAT間GSMセルを測定して、ステップ５１で検出された未識別のRAT間GSMセルを識別する、あるいは保証されたMBMS復調パフォーマンスに基づいて決定される利用可能な周波数間測定時間内または受信機変換プロセスがある場合には前記利用可能な周波数間測定時間から受信機変換時間を引いた時間内に未識別のRAT間GSMセルを測定する：
SFN＝(C_RNTI  mod  M_REP＋n×M_REP)×N
前記変換時間は受信機のハードウェア機能に依存し、通例1msに等しい；
ここで：
Nは、最大のTTIをもつFACHのTTIを10msで割って得られる値を表し、前記のFACHはFDD  UEがモニタリングする非MBMS論理チャネルを担うSCCPCH上にあり；
M_REP＝2kで、M_REPは測定期間のサイクルを表し；Nフレームの測定時間についてのサイクルは、N×M_REPフレームであり；kはFACH測定期間サイクル係数を表し、システム情報11または12における情報要素「FACH測定機会情報」から取得されうるもので；
C_RNTIはFDD  UEのセル無線ネットワーク一時識別情報を表し；
n＝0,1,2,…であり、ただし、SFNはその最大値より小さいという条件がある。
【０１１５】
ステップ５３：FDD  UEが、新たに識別されたRAT間GSMセルを、自分が記憶しているセル・リストにおいて、識別されたセルとしてマークし、あるいは識別されたRAT間GSMセルの測定結果を報告する。
【０１１６】
この手順は、CELL_FACH状態にあるMBMS  PTMトラフィックを受信するFDD  UEが、受信信号強度指標（RSSI:  received  signal  strength  indicator）を測定するか、あるいはGSMセルのベース・トランシーバー局識別コード（BSIC:  base  transceiver  station  identity  code）を識別するか、あるいはBSICを再確認する（revalidate）するときにも適用可能である。
【０１１７】
本発明のもう一つの実施形態によれば、要求される測定パフォーマンスを決定する方法は、MBMS情報を受信するFDD  UEが周波数内セルを測定するときにも適用可能である。この場合、UEが要求される測定パフォーマンスを決定するのは、MBMS情報（たとえばMBMS  PTMトラフィックまたはMCCH情報）のための復調パフォーマンスを考慮に入れることによって行われる。こうして、UEは、保証されるMBMS復調パフォーマンスに基づく測定パフォーマンスによって要求される時間内に新たなセルの識別を終え、あるいは測定結果を上の層に報告することが確実になる。
【０１１８】
FDD  UEは、次の公式から得られるTidentify,intra内に新たな周波数内セルを識別する：
【０１１９】
【数２１】
2008533883.tif 000061
ここで、
Tintraは、保証されるMBMS復調パフォーマンスに基づいてFDD  UEによって決定される利用可能な周波数内測定時間を表し、あるいは受信機変換時間が考慮される場合にはTintraは、保証されるMBMS復調パフォーマンスに基づいてFDD  UEによって決定される利用可能な周波数内測定時間から受信機変換時間（ms単位で測る）を引いた時間を表す。
【０１２０】
受信機変換時間は受信機のハードウェア機能に依存し、通例2×0.5ms＝1msに等しい。
【０１２１】
その他のパラメータについては、以前の記述を参照。
【０１２２】
さらに、FDD  UEは、周波数内測定結果を上の層に200msの規則的な間隔で報告するが、報告されるセル数は次の式によって決定される：
【０１２３】
【数２２】
2008533883.tif 000062
Tin＝NTTI×10で、これは保証されたMBMS復調パフォーマンスに基づいてUEによって決定される利用可能な周波数間／RAT間測定時間、あるいは保証されたMBMS復調パフォーマンスに基づいてUEによって決定される利用可能な周波数間／RAT間測定時間から受信機変換時間を引いた時間を表す。
【０１２４】
本発明のもう一つの実施形態に基づき、要求される測定パフォーマンスを決定する方法がTDD  UEに適用される場合、手順は次のようになる：
TDD  UEがUTRANからシステム測定制御情報を受信し、しかるべく周波数間／RAT間測定をトリガーする。
【０１２５】
TDD  UEが、MBMS  PTMトラフィック（またはMCCH情報）についての保証される復調パフォーマンスに基づいて、アイドル時間および／または従来技術による式(1)から計算される測定時間の一部を周波数間／RAT間測定時間として選択する。
【０１２６】
TDD  UEは、周波数間／RAT間測定時間時間内に周波数間／RAT間測定を実行し、多の時間においてMBMS  PTMトラフィックを受信する。
【０１２７】
TDD  UEは、ステップ２で選択された周波数間／RAT間測定時間を使うことによって要求される周波数間／RAT間測定パフォーマンスを決定する。
【０１２８】
決定された測定パフォーマンス要求に従って、MBMS  PTMトラフィックを受信するTDD  UEは次の手順によって新たな周波数間セルを識別する：
TDD  UEが、未識別の周波数間セルの存在を見出すために、システム測定制御情報をUTRANから受信し、該測定制御情報において指示されている周波数間セル情報を取得する。
【０１２９】
TDD  UEが未識別の周波数間セルを検出する。
【０１３０】
TDD  UEは、アイドル時間および／または従来技術による式(1)から計算される測定時間の部分内に周波数間測定を実行して、新たな周波数間セルを識別しようとする。
【０１３１】
TDD  UEが下記の公式から得られる時間内に、新たな周波数間セルの識別を終える。
【０１３２】
3.84Mcps  TDD  UEについて、モニタ・セットにおいて新たな周波数間TDDセルを識別するために、要求される識別時間は次式を満たす：
【０１３３】
【数２３】
2008533883.tif 000063
ここで：
TInterは、保証されるMBMS復調パフォーマンスに基づいてTDD  UEによって決定される利用可能な周波数間測定時間を表し、あるいは受信機変換時間が考慮される場合には、TInterは、保証されるMBMS復調パフォーマンスに基づいてTDD  UEによって決定される利用可能な周波数間測定時間から受信機変換時間を引いた時間を表し；該変換時間は、受信機のハードウェア機能に依存し、通例2×0.5ms＝1msに等しい；
他のパラメータについては、従来技術の式(8)の記述を参照。
【０１３４】
1.28Mcps  TDD  UEについて、モニタ・セットにおいて新たな周波数間TDDセルを識別するために、要求される識別時間は次式を満たす：
【０１３５】
【数２４】
2008533883.tif 000064
ここで：
NInterは、PCCPCHおよびDwPCH信号が存在しているサブフレームの数を表し、該PCCPCHおよびDwPCH信号は、標的周波数間TDDセルから、保証されるMBMS復調パフォーマンスに基づいてTDD  UEによって決定される利用可能な周波数間測定時間内に受信され；受信機変換時間が考慮される場合には、NInterは、PCCPCHおよびDwPCH信号が存在しているサブフレームの数を表し、該PCCPCHおよびDwPCH信号は、標的周波数間TDDセルから、保証されるMBMS復調パフォーマンスに基づいてTDD  UEによって決定される利用可能な周波数間測定時間から受信機変換時間を引いた時間内に受信される；該変換時間は、受信機のハードウェア機能に依存し、通例2×0.5ms＝1msに等しい；
他のパラメータについては、従来技術の式(9)の以前の記述を参照。
【０１３６】
TDD  UEは、新たに識別された周波数間TDDセルを、自分が記憶しているセル・リストにおいて、識別されたセルとしてマークする。
【０１３７】
MBMS  PTMトラフィックを受信するTDD  UEは、下記の手順によって周波数間TDDセルのPCCPCHを測定する：
TDD  UEが、システム測定制御情報をUTRANから受信し、周波数間TDDセルに対するPCCPCH測定をトリガーする。
【０１３８】
TDD  UEは、アイドル時間および／または従来技術による式(1)から得られる測定時間の部分内に周波数間TDDセルのPCCPCHを測定する。
【０１３９】
TDD  UEの物理層が、次の公式から計算されるTMeasurement,Inter内に、測定結果を上の層に報告する。
【０１４０】
3.84Mcps  TDD  UEについて、要求されるTMeasurement,interは次式を満たす：
【０１４１】
【数２５】
2008533883.tif 000065
ここで：
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す。
【０１４２】
受信機変換時間は、受信機のハードウェア機能に依存し、通例2×0.5ms＝1msに等しい；
他のパラメータについては、従来技術の式(10)の記述を参照。
【０１４３】
1.28Mcps  TDD  UEについて、要求されるTMeasurement  interは次式を満たす：
【０１４４】
【数２６】
2008533883.tif 000066
ここで：
NInterは、PCCPCHおよびDwPCH信号が存在しているサブフレームの数を表し、該PCCPCHおよびDwPCH信号は、標的周波数間TDDセルから、保証されるMBMS復調パフォーマンスに基づいてTDD  UEによって決定される利用可能な周波数間測定時間内に受信され；受信機変換時間が考慮される場合には、NInterは、PCCPCHおよびDwPCH信号が存在しているサブフレームの数を表し、該PCCPCHおよびDwPCH信号は、標的周波数間TDDセルから、保証されるMBMS復調パフォーマンスに基づいてTDD  UEによって決定される利用可能な周波数間測定時間から受信機変換時間を引いた時間内に受信される；
受信機変換時間は、受信機のハードウェア機能に依存し、通例2×0.5ms＝1msに等しい；
他のパラメータについては、従来技術の式(11)の以前の記述を参照。
【０１４５】
TDD  UEの上の層は、物理層によって報告された測定結果を内部アルゴリズムにかける（たとえば、該測定結果は、セル再選択アルゴリズムの入力パラメータであってもよい）か、あるいは測定結果をRNCに報告する。
上で決定された測定パフォーマンスによれば、MBMS  PTMトラフィックを受信するTDD  UEは、以下の手順によって新たなWCDMA  FDDセルを識別する：
TDD  UEが、未識別のWCDMA  FDDセルの存在を見出すために、UTRANからシステム測定制御情報をUTRANから受信し、該測定制御情報において指示されているWCDMA  FDDセル情報を取得する。
【０１４６】
TDD  UEが未識別のWCDMA  FDDセルを検出する。
【０１４７】
TDD  UEは、アイドル時間および／または従来技術による式(1)から計算される周波数間測定時間の部分内にRAT間セル測定を実行して、新たなRAT間WCDMA  FDDセルを識別しようとする。
【０１４８】
TDD  UEが下記の公式から得られる時間内に、新たなRAT間WCDMA  FDDセルの識別を終える：
MBMS  PTMトラフィックを受信するTDD  UEが、モニタ・セットにおいて新たなRAT間WCDMA  FDDセルを識別する場合、要求される識別時間Tidentify  FDD  interは次式を満たす：
3.84Mcps  TDD  UEについて、モニタ・セットにおいて新たなRAT間WCDMA  FDDセルを識別するために、要求されるTidentify  FDD  interは次式を満たす：
【０１４９】
【数２７】
2008533883.tif 000067
ここで：
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す；
受信機変換時間は、受信機のハードウェア機能に依存し、通例2×0.5ms＝1msに等しい；
他のパラメータについては、従来技術の式(12)の記述を参照。
【０１５０】
1.28Mcps  TDD  UEについて、モニタ・セットにおいて新たなRAT間WCDMA  FDDセルを識別するために、要求されるTidentify_FDD  interは次式を満たす：
【０１５１】
【数２８】
2008533883.tif 000068
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す；
受信機変換時間は、受信機のハードウェア機能に依存し、通例2×0.5ms＝1msに等しい；
他のパラメータについては、従来技術の式(13)の関連記述を参照。
【０１５２】
TDD  UEは、新たに識別されたRAT間WCDMA  FDDセルを、自分が記憶しているセル・リストにおいて、識別されたセルとしてマークする。
MBMSトラフィックを受信するTDD  UEは、RAT間WCDMA  FDDセルのCPICHを測定し、測定結果を報告することを以下の手順で行う：
TDD  UEがUTRANからシステム測定制御情報またはシステム・ブロードキャスト情報を受信し、RAT間WCDMA  FDDセルのCPICH測定をトリガーする。
【０１５３】
TDD  UEが、アイドル時間および／または従来技術による式(1)から計算される測定時間から選択する時間の部分内に、RAT間WCDMA  FDDセルのCPICHを測定する。
【０１５４】
TDD  UEの物理層が次の公式から得られるTMeasurement  FDD,Inter内に、CPICH測定結果を上の層に報告する。
【０１５５】
3.84Mcps  TDD  UEについて、要求されるTMeasurement  FDD  Interは次式を満たす：
【０１５６】
【数２９】
2008533883.tif 000069
ここで：
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す；
受信機変換時間は、受信機のハードウェア機能に依存し、通例2×0.5ms＝1msに等しい；
他のパラメータについては、従来技術の式(14)の関連記述を参照。
【０１５７】
1.28Mcps  TDD  UEについて、要求されるTMeasurement_FDD  interは次式を満たす：
【０１５８】
【数３０】
2008533883.tif 000070
ここで：
TInterは、保証されるMBMS復調パフォーマンスに基づいてTDD  UEによって決定される利用可能な周波数間測定時間を表し；受信機変換時間が考慮される場合には、TInterは、保証されるMBMS復調パフォーマンスに基づいてTDD  UEによって決定される利用可能な周波数間測定時間から受信機変換時間を引いた時間を表す；
受信機変換時間は、受信機のハードウェア機能に依存し、通例2×0.5ms＝1msに等しい；
他のパラメータについては、従来技術の式(15)の関連記述を参照。
【０１５９】
TDD  UEの上の層は、物理層から報告された測定結果を内部アルゴリズムにかける（たとえば、該測定結果は、セル再選択アルゴリズムの入力パラメータであってもよい）か、あるいは測定結果をRNCに報告する。
本発明のもう一つの実施形態によれば、要求される測定パフォーマンスを決定する方法は、MBMS情報を受信するTDD  UEが周波数内セルを測定するときにも適用可能である。この場合、UEが要求される測定パフォーマンスを決定するのは、MBMS情報（たとえばMBMS  PTMトラフィックまたはMCCH情報）のための復調パフォーマンスを考慮に入れることによって行われる。こうして、UEは、保証されるMBMS復調パフォーマンスに基づく測定パフォーマンスによって要求される時間内に新たなセルの識別を終え、あるいは測定結果を上の層に報告することが確実になる。
【０１６０】
1.28Mcps  TDD  UEは、下記のTidentify  intra内に新たな周波数内セルの識別を終える：
【０１６１】
【数３１】
2008533883.tif 000071
ここで：
Nperiod,intra＝40ms；
Nintraは標的周波数内TDDセルのPCCPCHおよびDwPCH信号が存在しているサブフレームの数を表し、該PCCPCHおよびDwPCH信号は、保証されるMBMS復調パフォーマンスに基づいてUEによって決定される利用可能な周波数内測定時間内に受信される。
【０１６２】
1.28Mcps  TDD  UEは、周波数内測定結果を上の層に200msの規則的な間隔で報告するが、PCCPCH測定報告のためのセル数は次の式によって決定される：
【０１６３】
【数３２】
2008533883.tif 000072
式中のパラメータについては以前の記述を参照。
【０１６４】
上で決定された測定パフォーマンスに基づき、MBMS  PTMトラフィックを受信するTDD  UEは、以下の手順に従ってGSMセルを測定する：
TDD  UEがUTRANからシステム測定制御情報を受信し、該測定制御情報内で指示されるGSMセル情報を取得して未識別のGSMセルが存在しており、識別されたRAT間GSMセルを測定する必要があることを見出す。
【０１６５】
TDD  UEが未識別のRAT間GSMセルを検出する、あるいは識別されたRAT間GSMセルの受信信号を測定する。
【０１６６】
TDD  UEが、RAT間GSMセルを測定して、上記ステップで検出された未識別のGSMセルを識別する、あるいはアイドル時間および／または従来技術による式(1)から得られる測定時間から選択する時間の部分内に、識別されたRAT間GSMセルの受信信号を測定する。前記で選択される時間は、具体的には、保証されるMBMS復調パフォーマンスに基づいてUEによって決定される利用可能な周波数間測定時間である。受信機変換プロセスがあれば、該時間は、保証されるMBMS復調パフォーマンスに基づいてUEによって決定される利用可能な周波数間測定時間から受信機変換時間を引いた時間になる；該変換時間は受信機のハードウェア機能に依存し、通例1msに等しい。
【０１６７】
TDD  UEが、新たに識別されたRAT間GSMセルを、自分が記憶しているセル・リストにおいて、識別されたものとしてマークし、あるいは識別されたRAT間GSMセルの測定された受信信号品質を報告する。
【０１６８】
この手順は、MBMS  PTMトラフィックを受信するTDD  UEが、RSSIを測定するか、あるいはBSICを識別するか、あるいはGSMセルのBSICを再確認する（revalidate）するときにも適用可能である。
【０１６９】
同様に、この方法は、GSM通信システムにおいてグループ・ボイス・コールまたはボイス・ブロードキャスト・サービスにも適用可能である。
【０１７０】
周波数間／RAT間測定のための方法に対応して、本発明のある実施形態によってユーザー装置も提供される。図６は、本発明のある実施形態に基づくUEの構造を示す図である。図６に示されるように、UEは第一の時間予約ユニット１００、第二の時間予約ユニット２００、MBMS受信ユニット３００および測定ユニット４００を含む。各ユニットの機能は以下のとおり：
第一の時間予約ユニット１００は、システムが要求する周波数間／RAT間測定時間から、MBMSトラフィックを受信するための第一の時間を予約する。
【０１７１】
第二の時間予約ユニット２００は、システムが要求する周波数間／RAT間測定時間から、周波数間／RAT間測定のための第二の時間を予約する。
【０１７２】
MBMS受信ユニット３００は、第一の時間予約ユニット１００によって予約された第一の時間の間にMBMSトラフィックを受信する。
【０１７３】
測定ユニット４００は、第二の時間予約ユニット２００によって予約された第二の時間内に周波数間／RAT間測定を実行する。
【０１７４】
本発明のもう一つの実施形態によれば、前記UEは、MBMSトラフィックを受信する過程において受信されるMBMSトラフィックのための復調パフォーマンスを保証するために要求される測定パフォーマンスを決定する、測定パフォーマンス決定ユニットを含む。最適には、要求される測定パフォーマンスは：
UEが新たなセルを識別するのに要求される時間；および／または
UEの物理層がセル測定結果を上の層に報告するのに要求される時間を含む。
【０１７５】
UEの技術的な実装の詳細は、本発明の実施形態によって提供される方法の記述においてすでに述べられている。
【０１７６】
本発明は、いくつかの好ましい実施形態を参照しつつ図解し、説明してきたが、本発明はそれらに限定されるものではない。当業者は、本発明の精神および範囲から外れることなくさまざまな変形および修正を施しうる。本発明は、付属の請求項によって定義される保護範囲およびその等価物にはいる限り、これらの修正および変形をもカバーすることが意図されている。
【図面の簡単な説明】
【０１７７】
【図１】FDD  UEが、本発明のある実施形態に基づく要求される測定パフォーマンスを決定するための方法を採用して周波数間セルを識別する手順を示す図である。
【図２】FDD  UEが、本発明のある実施形態に基づく要求される測定パフォーマンスを決定するための方法を採用して上の層に周波数間セルのCPICH測定結果を報告する手順を示す図である。
【図３】FDD  UEが、本発明のある実施形態に基づく要求される測定パフォーマンスを決定するための方法を採用してRAT間WCDMA  TDDセルを識別する手順を示す図である。
【図４】FDD  UEが、本発明のある実施形態に基づく要求される測定パフォーマンスを決定するための方法を採用してRAT間WCDMA  TDDセルのPCCPCH  RSCP測定結果を上の層に報告する手順を示す図である。
【図５】FDD  UEが、本発明のある実施形態に基づく要求される測定パフォーマンスを決定するための方法を採用してRAT間GSMセルを識別する手順を示す図である。
【図６】本発明のある実施形態に基づくUEの構造を示す図である。
【国際調査報告】
2008533883.tif 000073
2008533883.tif 000074
2008533883.tif 000075
2008533883.tif 000076